(57)【要約】  一側面として、世界中の映画製作会社に全世界的及び全言語的なエンドツーエンドのソリューションを提供するグローバルオンラインポータルを開示する。作家からディレクター、技術者に至るまで、映画に関わる全ての業種がポータルによって別々のカテゴリにリストされ、検証／認証される。リストされた各エンティティは、論理的プロセスによって到達されたその評価に従ってカテゴリ内で定義される。リストされた各エンティティのサービスは、商業的条件及びこれらの利用可能なスケジュールと共に、ホームページ上に掲載される。ポータルは、世界中の全ての映画製作会社のために知的所有権を管理し、グローバル交換プラットホームを形成する。これにより、ある言語でリストされたスクリプトを購入し、これを利用して、異なる言語で映画を製作することもできる。また、これにより、プロデューサは、マウスをクリックするだけで、次の映画のために望ましい俳優及びクルーメンバを指名することができる。【選択図】  図１１
2017519312.tif 000002
【特許請求の範囲】
【請求項１】
映画業界プロフェッショナルのためのエンドツーエンドソリューションを提供するグローバルオンラインポータルを管理するコンピュータシステムであって、
前記映画業界プロフェッショナルを前記ポータルに登録するように構成されたサーバシステムと、
前記サーバシステムに通信可能に接続され、前記ポータルに登録された前記映画業界プロフェッショナルのリストを保存するように構成され、前記登録された前記映画業界プロフェッショナルの前記リストは、別々のカテゴリにリストされた、少なくとも作家、ディレクター、俳優及び技術者を含むストレージシステムとを備え、
前記サーバシステムは、前記ポータルの一部として、前記登録された映画業界プロフェッショナルのそれぞれのプロフィールページを含む前記登録された映画業界プロフェッショナルの前記リストを表示するように構成され、前記プロフィールページは、前記登録された映画業界プロフェッショナルのそれぞれによって提供されるサービスに関する情報を含む、コンピュータシステム。
【請求項２】
前記ポータルのプロフィールページは、前記映画業界プロフェッショナルのそれぞれによって提供されるサービスの取引条件及び前記映画業界プロフェッショナルのそれぞれの利用可能なスケジュールを含む、請求項１記載のコンピュータシステム。
【請求項３】
前記登録された映画業界プロフェッショナルのそれぞれは、前記映画業界プロフェッショナルに関連する評価に基づいて、１つ又は異なるカテゴリに割り当てられる、請求項１記載のコンピュータシステム。
【請求項４】
前記ストレージシステムは、前記サーバシステムへの新しい映画業界プロフェッショナルの登録に応じて、前記ポータルに登録した新しい映画業界プロフェッショナルを前記映画業界プロフェッショナルの前記リストに追加するように構成されている、請求項１記載のコンピュータシステム。
【請求項５】
前記サーバシステムは、前記映画業界プロフェッショナルを登録し、前記登録された映画業界プロフェッショナルの前記リストに含ませる前に、前記映画業界プロフェッショナルを検証又は認証するように構成されている、請求項１記載のコンピュータシステム。
【請求項６】
前記ポータルは、前記映画業界プロフェッショナルのためのグローバル交換プラットホームを含む、請求項１記載のコンピュータシステム。
【請求項７】
前記映画業界プロフェッショナルのための前記グローバル交換プラットホームは、購入のためのスクリプトのリストを含み、前記スクリプトのリストの各スクリプトは、特定の言語で書かれている、請求項６記載のコンピュータシステム。
【請求項８】
前記映画業界プロフェッショナルのための前記グローバル交換プラットホームは、所与の登録された映画業界プロフェッショナルが、前記特定の言語で書かれた前記スクリプトのリストから、あるスクリプトを、当該スクリプトを用いて異なる言語で映画を製作する権利と共に購入できるように構成されている、請求項７記載のコンピュータシステム。
【請求項９】
前記映画業界プロフェッショナルのための前記グローバル交換プラットホームは、所与の登録された映画業界プロフェッショナルが、映画プロジェクトのために前記登録された映画業界プロフェッショナルの１人以上を採用できるように構成されている、請求項６記載のコンピュータシステム。
【請求項１０】
前記映画業界プロフェッショナルのためのグローバル交換プラットホームは、前記登録された映画業界プロフェッショナルによって提供されるサービスに関する情報を含み、前記登録された映画業界プロフェッショナルが提供するサービスに関する前記情報は、前記登録された映画業界プロフェッショナルが提供するサービスの価格を含む、請求項６記載のコンピュータシステム。
【請求項１１】
前記映画業界プロフェッショナルのためのグローバル交換プラットホームは、前記登録された映画業界プロフェッショナルが価格交渉を行うためのプラットホームを含む、請求項１０記載のコンピュータシステム。
【請求項１２】
前記映画業界プロフェッショナルのためのグローバル交換プラットホームは、前記登録された映画業界プロフェッショナルのそれぞれが、異なる映画プロジェクトからの複数の申し込みを受け取ることができるように構成されている、請求項１０記載のコンピュータシステム。
【請求項１３】
前記映画業界プロフェッショナルのためのグローバル交換プラットホームは、映画製作サービスのためのオークション及び逆オークションプラットホームを含む、請求項６記載のコンピュータシステム。
【請求項１４】
前記サーバシステムは、所与のユーザの言語で前記ポータルを運営するように構成されている、請求項１記載のコンピュータシステム。
【請求項１５】
前記サーバシステムは知的所有権問題を管理するように構成されている、請求項１記載のコンピュータシステム。
【請求項１６】
前記サーバシステム及び前記ストレージシステムの組合せは、前記登録された映画業界プロフェッショナルのそれぞれのプロフィールページに関連する活動のログ履歴を維持するように構成されている、請求項１記載のコンピュータシステム。
【請求項１７】
前記ログ履歴は、
友達申請、
コンテンツの共有、
アドバイスの投稿、
「好き」の投稿、
「嫌い」の投稿、
投稿された写真のアップロード、
投稿されたショーリールのアップロード、及び
ブログの投稿の少なくとも１つの更新を含む、請求項１記載のコンピュータシステム。
【請求項１８】
映画業界プロフェッショナルのためのエンドツーエンドソリューションを提供するグローバルオンラインポータルを運営する方法であって、
サーバシステムによって、映画業界プロフェッショナルを登録する要求に応じて、前記映画業界プロフェッショナルをポータルに登録することと、
前記サーバシステムに通信可能に接続されたストレージシステムによって、前記サーバシステムが前記ポータルに登録した前記映画業界プロフェッショナルのリストを保存することであって、前記登録された前記映画業界プロフェッショナルの前記リストは、別々のカテゴリにリストされた、少なくとも作家、ディレクター、俳優及び技術者を含むことと、
前記ポータルの一部として、前記登録された映画業界プロフェッショナルのそれぞれのプロフィールページを含む前記登録された映画業界プロフェッショナルの前記リストを表示することであって、前記プロフィールページは、前記登録された映画業界プロフェッショナルのそれぞれによって提供されるサービスに関する情報を含むことと、
前記提供されるサービスに基づいて前記登録された映画業界プロフェッショナルの前記リストを検索する要求を受信することと、
前記受信された要求に応じて検索結果を返すことであって、前記検索結果は、前記要求されたサービスを提供する前記登録された映画業界プロフェッショナルの下位集合を含み、前記登録された映画業界プロフェッショナルが前記カテゴリに基づく順序でリストされていることと
を含む方法。
【請求項１９】
前記登録することは、各映画業界プロフェッショナルのユーザ名及びパスワードを検証することを含む、請求項１８記載の方法。
【請求項２０】
前記ポータルの前記プロフィールページは、前記映画業界プロフェッショナルのそれぞれによって提供されるサービスの取引条件及び前記映画業界プロフェッショナルの利用可能なスケジュールを含む、請求項１８記載の方法。
【請求項２１】
前記登録された映画業界プロフェッショナルのそれぞれは、前記映画業界プロフェッショナルに関連する評価に基づいて、１つ又は異なるカテゴリに割り当てられる、請求項１８記載の方法。
【請求項２２】
新しい映画業界プロフェッショナルの登録に応じて、前記新しい映画業界プロフェッショナルを前記映画業界プロフェッショナルの前記リストに追加することを含む請求項１８記載の方法。
【請求項２３】
前記ポータルを前記映画業界プロフェッショナルのためのグローバル交換プラットホームとして運営することを含む請求項１８記載の方法。
【請求項２４】
前記ポータルを前記映画業界プロフェッショナルのための前記グローバル交換プラットホームとして運営することは、購入のためのスクリプトのリストを提供することを含み、前記スクリプトのリストの各スクリプトは、特定の言語で書かれている、請求項２３記載の方法。
【請求項２５】
前記ポータルを前記映画業界プロフェッショナルのための前記グローバル交換プラットホームとして運営することは、所与の登録された映画業界プロフェッショナルが、前記特定の言語で書かれた前記スクリプトのリストから、あるスクリプトを、当該スクリプトを用いて異なる言語で映画を製作する権利と共に購入することを可能にすることを含む、請求項２４記載の方法。
【請求項２６】
前記ポータルを前記映画業界プロフェッショナルのための前記グローバル交換プラットホームとして運営することは、所与の登録された映画業界プロフェッショナルが、映画プロジェクトのために前記登録された映画業界プロフェッショナルの１人以上を採用することを可能にすることを含む、請求項２３記載の方法。
【請求項２７】
前記ポータルを前記映画業界プロフェッショナルのための前記グローバル交換プラットホームとして運営することは、前記登録された映画業界プロフェッショナルによって提供されるサービスに関する情報を表示することを含み、前記登録された映画業界プロフェッショナルが提供するサービスに関する情報は、前記登録された映画業界プロフェッショナルが提供するサービスの価格を含む、請求項２３記載の方法。
【請求項２８】
前記ポータルを前記映画業界プロフェッショナルのための前記グローバル交換プラットホームとして運営することは、前記登録された映画業界プロフェッショナルが価格交渉を行うためのプラットホームを提供することを含む、請求項２７記載の方法。
【請求項２９】
前記ポータルを前記映画業界プロフェッショナルのための前記グローバル交換プラットホームとして運営することは、前記登録された映画業界プロフェッショナルのそれぞれが、異なる映画プロジェクトからの複数の申し込みを受け取ることを可能にすることを含む、請求項２７記載の方法。
【請求項３０】
前記ポータルを前記映画業界プロフェッショナルのための前記グローバル交換プラットホームとして運営することは、前記グローバル交換プラットホームを、映画製作サービスのためのオークション及び逆オークションプラットホームとして運営することを含む、請求項２３記載の方法。
【請求項３１】
前記登録された映画業界プロフェッショナルの１人以上についての評価を投稿する要求を受信し、前記評価された登録された映画業界プロフェッショナルによって提供されるサービスに関する情報を提供することを含む請求項２３記載の方法。
【請求項３２】
前記検索結果として、前記検索結果に含まれる前記登録された映画業界プロフェッショナルの下位集合の位置を地図上に表示することを含む請求項１８記載の方法。
【請求項３３】
映画業界プロフェッショナルのためのエンドツーエンドソリューションを提供するグローバルオンラインポータルを運営する方法であって、
サーバシステムによって、映画業界プロフェッショナルを登録する要求に応じて、前記映画業界プロフェッショナルをポータルに登録することと、
前記サーバシステムに通信可能に接続されたストレージシステムによって、前記サーバシステムが前記ポータルに登録した前記映画業界プロフェッショナルのリストを保存することであって、前記登録された前記映画業界プロフェッショナルの前記リストは、別々のカテゴリにリストされた、少なくとも作家、ディレクター、俳優及び技術者を含むことと、
前記ポータルの一部として、前記登録された映画業界プロフェッショナルのそれぞれのプロフィールページを含む前記登録された映画業界プロフェッショナルの前記リストを表示することであって、前記プロフィールページは、前記登録された映画業界プロフェッショナルのそれぞれによって提供されるサービスに関する情報を含むことと、
前記登録された映画業界プロフェッショナルの１人から、対応するプロフィールページに関連する情報を修正する要求を受信することと、
前記受信された要求に基づいて、前記要求を行った前記登録された映画業界プロフェッショナルの対応するプロフィールページを修正することと
を含む方法。
【請求項３４】
前記登録された映画業界プロフェッショナルの１人から、対応するプロフィールページに関連する情報を修正する要求を受信することは、
ブログの投稿、
ニュースイベントの投稿、
写真の投稿、
ショーリールの投稿、及び
専門的経験の投稿の少なくとも１つを含む、請求項３３記載の方法。
【請求項３５】
前記登録された映画業界プロフェッショナルの１人から、前記登録された映画業界プロフェッショナルの他の１人を追跡する要求を受信することであって、前記要求した登録された映画業界プロフェッショナルが、前記追跡された登録された映画業界プロフェッショナルによる全ての投稿を自動的に受信することを可能にすることを含む、請求項３３記載の方法。
【請求項３６】
前記要求した登録された映画業界プロフェッショナルから、前記追跡された登録された映画業界プロフェッショナルの追跡を解除する要求を受信し、前記追跡が解除された登録された映画業界プロフェッショナルによる全ての投稿を自動的に受信することを停止することを含む、請求項３５記載の方法。
【請求項３７】
前記登録された映画業界プロフェッショナルの１人から、１つ以上の投稿を、他の登録された映画業界プロフェッショナルと共有する要求を受信することを含む請求項３４記載の方法。
【請求項３８】
前記登録された映画業界プロフェッショナルの１人から前記登録された映画業界プロフェッショナルの他の１人にメッセージを送信する要求を受信することを含む請求項３４記載の方法。
【請求項３９】
前記メッセージを送信する要求の受信に応じて、前記メッセージの送信者に、受信者がオフラインであることを示すエラーメッセージを送信することを含む請求項３８記載の方法。
【請求項４０】
要求者である前記登録された映画業界プロフェッショナルの１人から、前記要求者がオンラインであっても、他の登録された映画業界ユーザにとって、前記要求者の状態がオフラインとして表示される要求を受信することを含む請求項３３記載の方法。
【請求項４１】
要求者である前記登録された映画業界プロフェッショナルの１人から、前記登録された映画業界プロフェッショナルの他の１人による投稿に、
前記要求者が前記投稿に追加したい情報を含むコメント、
前記要求者が前記投稿を好きであることを示す「好き」、及び
前記要求者が前記投稿を嫌いであることを示す「嫌い」のうちの少なくとも１つを適用する要求を受信することを含む請求項３３記載の方法。
【請求項４２】
前記登録された映画業界プロフェッショナルの２人に、前記登録された映画業界プロフェッショナルの２人の友達である相互友達のリストを表示することを含む請求項３３記載の方法。
【請求項４３】
要求者である前記登録された映画業界プロフェッショナルの１人から、前記要求者のプロフィールページを見ることができる相手を変更するようにプライバシ設定を変更する要求を受信することを含む請求項３３記載の方法。
【請求項４４】
前記登録された映画業界プロフェッショナルの１人から、前記登録された映画業界プロフェッショナルの他の１人を推奨する要求を受信することを含む請求項３３記載の方法。
【請求項４５】
所与の登録された映画業界プロフェッショナルの前記プロフィールページに、
未読メッセージの数、
所与の登録された映画業界プロフェッショナルによる１つ以上の投稿に関して、他の登録された映画業界プロフェッショナルから受信されたコメントの数、
所与の登録された映画業界プロフェッショナルによる１つ以上の投稿に関して、他の登録された映画業界プロフェッショナルから受信された「好き」の数、
所与の登録された映画業界プロフェッショナルによる１つ以上の投稿に関して、他の登録された映画業界プロフェッショナルから受信された「嫌い」の数、及び
所与の登録された映画業界プロフェッショナルによる１つ以上の投稿に関して、他の登録された映画業界プロフェッショナルから受信された推奨の数のうちの少なくとも１つの数を示す通知を表示することを含む請求項３３記載の方法。
【発明の詳細な説明】
【技術分野】
【０００１】
関連出願
本特許出願は、２０１４年４月１６日に出願された米国仮出願番号第６１／９８０，１７２号の優先権を主張する。この特許文献の内容全体は、本出願の開示の一部として参照により組み入れられる。
技術分野
本開示において記述される主題は、包括的には、選択された業界のプロフェッショナルのためのオンラインポータルを提供するシステム、デバイス及び技術に関する。
【背景技術】
【０００２】
映画製作（Film making）は、マルチメディア産業の様々な領域における多数の優秀なプロフェッショナルの協力を必要とする。映画製作における協力は、例えば、開発、プリプロダクション、ポストプロダクション及び配給等の複数の段階及びプロセスを含む。各状態及びプロセスにおいて、マルチメディア産業の異なる領域の専門家が関わり、インプット及び経験を提供する。異なる段階及びプロセスに亘って適切な個人を手配（casting）することは、複雑で時間がかかるプロセスとなることがある。
【発明の概要】
【課題を解決するための手段】
【０００３】
ここに開示する技術の具体例は、異なる領域の有能なマルチメディアのプロフェッショナルを、メディアプロフェッショナルの専門的技術、経験及び知識が共有されるグローバルな単一の統合プラットホームに接続することによって、複雑な映画製作プロセスを組織化するオンラインポータルを提供する。ここに開示するグローバルな単一の統合プラットホームのオンラインポータルは、大作映画から短編映画までの様々な種類の映画を含む様々なマルチメディアの分野における有能なプロフェッショナルのために十分な機会を提供することができる。
【図面の簡単な説明】
【０００４】
【図１】世界的にフォローされる映画製作のワークフローを示すブロック図である。
【図２Ａ】例示的なログインプロセスを示す図である。
【図２Ｂ】例示的なログイン画面を示す図である。
【図２Ｃ】例示的な「パスワードを忘れた」画面を示す図である。
【図２Ｄ】他の例示的なログインプロセスのプロセスフローチャートである。
【図３Ａ】ユーザにアカウントを作成するよう指示する例示的なアカウント作成画面を示す図である。
【図３Ｂ】ユーザにアカウントを作成するよう指示する例示的なアカウント作成画面を示す図である。
【図３Ｃ】ここに開示するポータルに登録（sign up）するために入力される例示的な登録フォームを示す図である。
【図４Ａ】プロフィールページの例示的なメインセクションを示す図である。
【図４Ｂ】例示的な経験（専門的経験、期間及び説明）及び推奨サービスセクションを示す図である。
【図４Ｃ】新技能４０８、推奨技能及び教育セクションを示す図である。
【図４Ｄ】写真ギャラリセクションを示す図である
【図４Ｅ】写真ギャラリセクションを示す図である
【図４Ｆ】写真ギャラリセクションを示す図である
【図４Ｇ】例示的なショーリール（Show reel）セクションを示す図である。
【図４Ｈ】アップロードされたショーリールがポップアップ画面で表示できることを示す図である。
【図４Ｉ】プロフィールページの一部としてプロフィール更新フォームを示す図である。
【図４Ｊ】ユーザがブログを追加することができる、タイトル、ラジオボタンイメージ、ＹｏｕＴｕｂｅ(登録商標)リンク、説明等のフィールドを含むブログ追加フォームを示す図である。
【図４Ｋ】ユーザがニュースを追加することができるニュースフォームを示す図である。
【図４Ｌ】ユーザが経験を追加することができる経験フォームを示す図である。
【図４Ｍ】ユーザが好みのサービスを追加することができる好みのサービスフォームを示す図である。
【図４Ｎ】ユーザが自らの新技能又は主要技能を追加することができる新技能フォームを示す図である。
【図４Ｏ】例示的な推奨技能セクションを示す図である。
【図４Ｐ】ユーザが自らの教育を追加することができる教育フォームを示す図である。
【図４Ｑ】ユーザが他者とショーリールを共有することができるショーリール共有フォームを示す図である。
【図４Ｒ】写真共有フォームを示す図である。
【図５】プロダクト及びサービスを投稿する例示的プロセスを示すフローチャートである。
【図６】例示的なブログページを示す図である。
【図７Ａ】例示的なニュースセクションを示す図である。
【図７Ｂ】例示的なニュースセクションを示す図である。
【図７Ｃ】例示的なニュースセクションを示す図である。
【図８Ａ】例示的な検索ページを示す図である。
【図８Ｂ】検索ページから友達申請を送信する例を示す図である。
【図８Ｃ】興味を有するユーザが、検索ページから、要求送信ボタン及びメッセージ送信ボタンを用いて、どのように友達申請又はメッセージを送信することができるかを示す図である。
【図９Ａ】ダッシュボード上の友達申請及び未読メッセージアラートを示す図である。
【図９Ｂ】友達申請のポップアップの例を示す図である。
【図９Ｃ】未読メッセージのポップアップの例を示す図である。
【図９Ｄ】共有ギャラリセクションを示す図である。
【図９Ｅ】共有ショーリールウォッチページ又はセクションを示す図である。
【図９Ｆ】共有写真ギャラリページを示す図である。
【図９Ｇ】共有写真閲覧ページを示す図である。
【図９Ｈ】例示的なコネクションページを示す図である。
【図９Ｉ】公開プロフィールページを示す図である。
【図９Ｊ】友達評価セクションを示す図である。
【図９Ｋ】検索結果に関する星評価を示す図である。
【図９Ｌ】例示的な評価詳細ページを示す図である。
【図１０Ａ】通知アイコン１０００及びタイムラインページを示す図である。
【図１０Ｂ】通知を基準として、時間順にイベントのリストを表示する手法を示す図である。
【図１０Ｃ】例示的なメッセージページを示す図である。
【図１０Ｄ】例示的なチャットウインドウを示す図である。
【図１０Ｅ】例示的なメッセージポップアップウインドウを示す図である。
【図１１】プロダクト及びサービスを検索する例示的プロセスを示すフローチャートである。
【図１２】ポータルの例示的な機能の集合を示す図である。
【図１３】相互交友又は友達リストに相互交友を表示及び特定する例を示す図である。
【図１４】プライバシ設定ページの例を示す図である
【図１５】公開プロフィールページの例を示す図である。
【図１６】例示的なパスワード変更フォームを示す図である。
【図１７】例示的な推奨技能セクションを示す図である。
【図１８Ａ】管理パネルにログインするための例示的なログイン画面を示す図である。
【図１８Ｂ】管理パネルへのログインプロセスのプロセスフローチャートである。
【図１８Ｃ】例示的な管理ユーザリストセクションを示す図である。
【図１８Ｄ】例示的な管理ユーザ追加フォームを示す図である。
【図１８Ｅ】例示的なポータルユーザ追加登録フォームを示す図である。
【図１８Ｆ】例示的なダッシュボードを示す図である。
【図１８Ｇ】ブログコンテンツを表示する例示的なブログコントロールパネルを示す図である。
【図１８Ｈ】ブログコメントを表示する例示的なブログコメントパネルを示す図であり、管理ユーザは、全てのブログに投稿されたコメントを編集又は削除することができる。
【図１８Ｉ】ブログコメントを編集するための例示的なブログコメント編集パネルを示す図である。
【図１８Ｊ】例示的なニュースコンテンツパネルを示す図である。
【図１８Ｋ】例示的なニュース追加フォームを示す図である。
【図１８Ｌ】例示的なニュースコンテンツ編集パネルを示す図である。
【図１８Ｍ】例示的なニュースコメントパネルを示す図である。
【図１８Ｎ】例示的なニュースコメント編集フォームを示す図である。
【図１８Ｏ】例示的な写真ギャラリを示す図である。
【図１８Ｐ】写真を表示するための例示的なポップアップウインドウを示す図である。
【図１８Ｑ】例示的な写真コメントページを示す図である。
【図１８Ｒ】例示的なショーリールギャラリを示す図である。
【図１８Ｓ】ショーリールを表示するための例示的なポップアップウインドウを示す図である。
【図１８Ｔ】例示的なショーリールコメントページを示す図である。
【図１８Ｕ】例示的なショーリールコメント編集フォームを示す図である。
【図１８Ｖ】例示的なサービスページを示す図である。
【図１８Ｗ】例示的な編集及びサービス削除フォームを示す図である。
【図１８Ｘ】例示的な電子メールテンプレートを示す図である。
【図１８Ｙ】例示的な電子メール追加テンプレートを示す図である。
【図１８Ｚ】例示的な検索履歴ページを示す図である。
【図１８ＡＡ】アップロードされた背景画像を保存するための例示的な背景画像ページを示す図である。
【図１８ＡＢ】背景画像の追加及び削除を行うための例示的な背景画像編集フォームを示す図である。
【図１８ＡＣ】例示的な主要技能ページを示す図である。
【図１８ＡＤ】例示的な主要技能編集フォームを示す図である。
【図１８ＡＥ】例示的なセクションページを示す図である。
【図１８ＡＦ】例示的なセクションモジュールページを示す図である。
【図１８ＡＧ】管理パネルの機能の例示的な集合を示す例示的な管理機能図である。
【図１９Ａ】例示的な条件（Terms and Conditions）ページを示す図である。
【図１９Ｂ】例示的なヘルプページを示す図である。
【図１９Ｃ】例示的な互換ブラウザページを示す図である。
【図２０Ａ】例示的なログバンク−ニュースセクションを示す図である。
【図２０Ｂ】ニュースタイトル、ニュース日時及びニュース著者を示す例示的なニュース数ページを示す図である。
【図２０Ｃ】例示的なニュースアドバイス又はコメント数ページを示す図である。
【図２０Ｄ】例示的な嫌いバー（Hate Bar）を示す図である。
【図２０Ｅ】例示的なニュース好きバー（News Love Bar）を示す図である。
【図２０Ｆ】例示的なブログセクションを示す図である。
【図２０Ｇ】例示的な写真セクションを示す図である。
【図２０Ｈ】写真セクションの例示的な共有写真バーを示す図である。
【図２０Ｉ】写真セクションの例示的な好きバー（Love Bar）を示す図である。
【図２０Ｊ】ログバンクの例示的なショーリールセクションを示す図である。
【図２０Ｋ】ログバンクの例示的な「全て」セクションを示す図である。
【図２１】オンライン管理ポータル１０１のコンピュータシステムをコントローラ２１００として表す例示的なマシンのブロック図である。
【発明を実施するための形態】
【０００５】
映画製作は、初期案（initial story）、アイデア又はプロットから脚本、キャスティング、撮影、編集及び完成した作品の試写会を含む幾つか個別の段階を含み、これにより、映画がリリースされ、上映される。映画製作は、経済的、社会的、政治的コンテキストが異なる世界の複数の国において、様々な技術、器材及び撮影法を用いて行われる。映画製作には、通常、多数の技術者、アーティスト及びクルーが関わる。このプロセスは、完了までに数ヶ月から数年を要する。ここに開示する技術は、基本的に、様々なオンライン及びオフラインの活動が行われるエンターテイメント及びマルチメディア産業のメディア技術者を繋ぎ合わせることを主目的とするシステム又はポータルを提供する。ここに開示するシステム又はポータルにより、ユーザは、映画の製作するプロセスに貢献できる、マルチメディア産業の有能なプロフェッショナルに直接的にアクセスできる。ここでは、各ユーザは、これらの専門家及びサービス（俳優、ディレクター、歌手、作家等）に関連付けられ、これによって、これらのサービスを必要とする他のユーザは、これらを検索し、連絡することができる。このポータルは、全体として、メディア及び娯楽産業におけるユーザに十分な機会を提供することができる固有の発想である。
【０００６】
映画制作は、以下のような幾つか主要段階を含む。
【０００７】
開発−映画のアイデアが生み出され、書籍／脚本の権利が買い取られる等の後、脚本が書かれる最初の段階。プロジェクトのための資金調達が行われ、承認される必要がある。
【０００８】
プリプロダクション−撮影のための準備が行われ、キャスト及び撮影クルー（crew）が雇われ、ロケ地が選択され、セットが制作される。
【０００９】
プロダクション−撮影により、映画のための、生の（加工されていない）エレメント（raw elements）が記録される。
【００１０】
ポストプロダクション−記録された映画のイメージ、音響及び視覚効果が編集される。
【００１１】
配給−完成した映画が配給され、映画館で上映され及び／又はホームエンターテイメントとしてリリースされる。
【００１２】
開発
この段階では、プロジェクトのプロデューサがストーリーを選択する。原案は、書籍又は脚本、他の映画、実話及びオリジナルのアイデア等であってもよい。テーマ又は基本的なメッセージを特定した後に、プロデューサは、作家と共同して、筋書きを準備する。次に、これらは、ドラマの構造を一段落に凝縮した複数のシーンにストーリーを分割するステップアウトライン（step outline）を作成する。次に、これらは、ストーリー、そのムード及び登場人物に関する２５〜３０ページの説明を準備する。これは、通常、台詞及びト書き等は殆ど含まず、多くの場合、キーポイントを視覚化するための絵を含む。他の手法として、筋書きが作成された後、スクリプトが作成されることもある。
【００１３】
次に、シナリオ作家が、数ヶ月に亘って脚本を書く。シナリオ作家は、ドラマ性、明快さ、構造、登場人物、台詞及び全体的なスタイルを向上させるために、これを数回書き直すこともある。なお、プロデューサは、前のステップをスキップし、提出用の脚本を開発することも多く、この脚本は、スクリプトカバレッジ（script coverage）と呼ばれるプロセスによって、投資家、スタジオ又は他の利害関係者により評価される。早い段階で映画配給会社に相談し、有望な市場及び映画の興行的成功の可能性を評価することもある。ハリウッドの配給会社は、実際的なビジネス手法を採用し、例えば、映画ジャンル、観客ターゲット、類似した映画の成功履歴、映画に出演する可能性がある俳優及びそのディレクターの候補等の要素を検討する。これらの全ての要素は、想定される観客への映画の特定の訴求効果を意味している。国内上映のみで利益を上げる映画が全てではなく、映画会社は、衛星放送、ＤＶＤセールス及び世界的な配給の権利も考慮に入れる。
【００１４】
プロデューサ及びシナリオ作家は、映画のピッチ（軽いプレゼンテーション）又はトリートメント（粗い脚本）を準備し、出資候補者にこれらをプレゼンする。ピッチが成功すると、映画は、「承認（green light）」を受け、これは、通常、主要な映画スタジオ、映画評議会（film council）又は個人投資家による出資支援の申し出があったことを意味する。当事者は、取引を協議し、契約書に署名する。全ての当事者が合意し、契約書が署名されると、映画は、プリプロダクションの段階に進むことができる。この段階までに、映画は、通常、明示的に定義されたマーケティング戦略及びターゲットとなる観客を有する。
【００１５】
プリプロダクション
プリプロダクションの段階では、映画を実際に作成するあらゆるステップが慎重に設計され、計画される。製作会社が設立され、制作オフィスが設置される。映画は、ディレクターによって事前に視覚化され、イラストレータ及びコンセプトアーティストと協力してストーリーボード化されることがある。映画の費用を計画するために、製作予算が作成される。関連する全てのリスクを回避するために、保険に加入することが多い。
【００１６】
プロデューサは、クルー（crew）を雇用する。映画の性質及び予算によって、映画製作の間に使用されるクルーのサイズ及びタイプが決定される。多くのハリウッド超大作では、何百ものキャスト及びクルーが雇用され、低予算の独立系映画は、８又は９人（又はこれより少ない）基幹（skeleton）クルーによって製作されることもある。
【００１７】
典型的なクルーの位置付けを以下に示す。
【００１８】
ストーリーボードアーティスト：ディレクター及び制作デザイナが制作チームにアイデアを伝えることを補助する視覚的イメージを作成する。
【００１９】
ディレクター：映画のストリーテリング、創造的決定及び演技について最終的な責任を有する。
【００２０】
アシスタントディレクター（Assistant Director：ＡＤ）：撮影スケジュール、製作のロジスティックス及び他のタスクを管理する。それぞれ担当が異なる複数の種類のＡＤがいる。
【００２１】
ユニットマネージャ（Unit Production Manager）：製作予算及び製作計画を管理する。これらは、また、制作オフィスを代表して、スタジオ経営陣又は映画の出資者に報告を行う。
【００２２】
ロケーションマネージャ（Location Manager）：映画ロケ地を見つけ、管理する。大部分の場面は、防音スタジオの制御可能な環境で撮影されるが、屋外の映像は、ロケ地での撮影を必要とする。
【００２３】
制作デザイナ：美術ディレクターと共同して、映画の視覚的コンセプトを作成する。
【００２４】
美術ディレクター：制作セットを製造する芸術部門を管理する。
【００２５】
衣装デザイナ：俳優並びに他の部門と緊密に協力して映画の登場人物の衣装を作成する。
【００２６】
メイクアップ及びヘアデザイナ：衣装デザイナと緊密に協力して登場人物の見栄えを整える。
【００２７】
キャスティングディレクター：スクリプトのパーツを満たす俳優を見出す。これは、通常、俳優オーディションを必要とする。
【００２８】
振付師：典型的には、ミュージカルのために、動き及びダンスを作成し、調整する。幾つかの映画では、アクション指導者もクレジットされる。
【００２９】
撮影ディレクター（Director of Photography：ＤＯＰ）：映画全体の写真撮影をディレクターする映画撮影技師である。
【００３０】
音響ディレクター（Director of Audiography：ＤＡ）：映画全体の音響を監督する音響技師である。西洋の映画界では、この役割は、サウンドデザイナ又はサウンド編集ディレクター等とも呼ばれる。
【００３１】
制作サウンドミキサ：映画のプロダクション段階の間のサウンド部門の責任者である。これらは、台詞、プレゼンス及び音響効果をモノラルで、並びに、環境音をステレオで、セット上の音声を録音及びミキシングする。これらは、ブームオペレータ、ディレクター、ＤＯＡ、ＤＯＰ及び第１ＡＤと共に作業する。
【００３２】
サウンドデザイナ：サウンド編集ディレクターと協力して映画の聴覚的コンセプトを作成する。幾つかの作品では、サウンドデザイナは、音響ディレクターの役割を果たす。
【００３３】
作曲家：映画のための新しい楽曲を作曲する（通常、ポストプロダクションで行われる）。
【００３４】
プロダクション
プロダクション段階では、コンテンツが作成及び撮影される。この段階では、より多くのクルーが採用される。クルーの例は、小道具係、スクリプタ、アシスタントディレクター、スチールカメラマン、ピクチャエディタ及びサウンドエディタ等である。これらは、映画制作における最も一般的な役割である。制作オフィスは、映画の制作の間の可能な様々な責任に適する固有の役割分担を自由に設定することができる。
【００３５】
実写映画のプロダクション段階では、多くの場面において、幾人かのキャストメンバ及び大部分のクルーが物理的に同時に同じ場所に存在する必要があるため、主要キャスト及びクルーメンバの仕事スケジュールを同期させることは、非常に重要である（更に、人気俳優は、プロジェクト間を駆け回る場合もある）。アニメーション映画では、プロダクション段階におけるワークフローが異なり、声優は、自らのテイクを異なる時間にレコーディングスタジオで録音でき、映画の初日まで、互いに顔を合わせる必要もなく、大部分の身体的動作は、不必要であり、又は様々なタイプのアニメータによってシミュレートされる。このように、映画のジャンルが異なれば、あらゆる点で制作の手法も異なる。
【００３６】
ポストプロダクション：
映像／映画編集者によって映像／映画が組み立てられる。撮影された映画素材が編集される。プロダクションサウンド（台詞）も編集され、映画に音楽が必要な場合、音楽トラック及び楽曲が作曲及び録音され、音響効果がデザイン及び記録される。コンピュータグラフィック視覚効果もデジタル的に加えられる。最後に、全てのサウンド要素が「ステム（stems）」にミキシングされ、これをピクチャと同期させ、これによって、映画が完成する（「ロックされる」）。
【００３７】
配給
これは、映画が映画館で公開され、又は場合によっては、消費者向け媒体（ＤＶＤ、ＶＣＤ、ＶＨＳ、ブルーレイ）に直接的にリリースされ、又は提供者からの直接ダウンロード用にリリースされる最後の段階である。映画は、必要に応じて（リール又はハードディスクデバイスの何れかに）複製され、公開（上映）のために映画館に配給される。記者会見資料、ポスタ及び他の広告用素材が発表され、映画が広告及び宣伝される。ドキュメンタリの「メイキング」のために、撮影された生の映像ショットに基づくＢ−ロールクリップをプレスに発表してもよく、これは、メイキングクリップ及び開始インタビューを含んでいてもよい。
【００３８】
１９７０年代におけるホームビデオの出現により、大部分の主要な映画は、幾つか異なるパターンの配給先を有するようになった。更に、映画は、レンタル、小売、パイパービュー、旅客機内の娯楽、ケーブル放送、衛星放送、及び／又は無料の地上波放送等の異なる市場セグメントで流通される。また、通常、世界的な配給のために、映画の配給権も販売される。配給業者及び製作会社は、同意された条件（term）に基づいて利益を分配し、或いは、これらの間でビジネスモデルをカスタマイズしてもよい。
【００３９】
コンテンツ制作のダイナミックな世界における現在のギャップ
このように、映画製作は、非常に複雑なプロセスであることは明らかである。最初にアイデアがあり、次にスクリプトを書き、資金調達を行い、適切なキャストを招集し、クルー、小道具、器材、技術、専門家、撮影、ポストプロダクションと、数え上げればきりがない程の要素がある。新たに映画作りに挑戦する者は言うまでもなく、経験豊かなプロフェッショナルであっても、映画製作プロセスの全ての様々な部分がどのように関係しているかについて理解することは難しい。何人かの個人がプロセスをそれなりに理解していたとしても、プロジェクトを商業的に成立させる価格で適切な人員を見つけることは、全ての業界人にとって最大の難題である。
【００４０】
世界全体が創造的なアイデア及び優れたコンテンツのための共通基盤である。特定の国で１つの言語で書かれた又は話された優れたストーリー又はスクリプトは、異なる言語を使用する他の国にとっても、優れたストーリー又はスクリプトである場合が多い。現在のインフラストラクチャでは、業界が必要な全ての情報及び人員にアクセスすることができる共通のフィールドが作成されていないため、業界は、世界的なプラットホームを利用することができない。このため、世界中の異なる国をカバーする、より大きなプラットホーム上で仕事の申し出があれば、より多くの経済的な利益を得ることができるはずの現実の有能でクリエイティブな個人が成長する機会が失われている。このようなプラットホームを作成する利点は、世界がインターネット革命によって変化したときのように、想像を絶するものであり、比類するものがない程である。
【００４１】
図１は、世界中でフォローされる映画製作のワークフロープロセス１００を例示するブロック図である。プロセス１００は、本特許文献で開示するように、様々な作家によってアップロードされるスクリプトを受信するオンラインポータルを含む（１０２）。このシステムにより、プロデューサは、受信したスクリプトからスクリプトを選択することができる（１０４）。このシステムにより、脚本を書くために選択されたスクリプトを提出することができる（１０６）。このシステムにより、脚本スクリプトに基づくストーリーボードを作成することができる（１０８）。このシステムにより、ストーリーボードをディレクターに送り、例えば、ロケ地及び撮影スケジュールを最決定することができる（１１０）。このシステムにより、撮影スケジュールに基づき、関連する日時及びタイミングと共に、必要なキャスト、サービス、許可及び器材の全てを決定することができる（１１２）。このシステムにより、必要な許可を取得した後に、様々なサービス提供者、アーティスト及び器材提供者に最終的スケジュールを配信し、必要な日時にこれらのサービス及び器材を利用することができる（１１４）。このシステムにより、例えば、サービス提供者がサービスを完了した時点で、及び必要であれば、プロデューサの承認によって一部の支払いを行う等、合意に基づき、全てのサービス提供者に支払いを行うことができる（１１６）。このシステムにより、最終的なスケジュールに基づいて、日々の活動を更新することができる（１１８）。このシステムにより、何らかの遅延状況を解決するために必要な措置が講じることができる（１２０）。このシステムにより、映画の完成時に、完成した映画の著作権を配給会社に販売することができる（１２２）。
【００４２】
毎年、数千もの大作映画、ドキュメンタリ及び短編映画が世界中で製作されている。しかしながら、映画製作会社は、常に、夢を大きなスクリーン上で実現するために、パズルの全ての断片を組み合わせることに苦労している。プロジェクトの要求に適合する価格で人員及び創造的制作者を見出すことも、常に困難な課題である。大部分の経験が浅い映画製作会社は、映画を製作するために必要な全ての業種（verticals）にアクセスすることすらできず、際だったアイデア又は脚本を持っていたとしても注目されないこともある。
【００４３】
ここに開示するシステムは、映画が製作される国又は言語にかかわりなく世界中の全ての映画製作会社のためのエンドツーエンドのソリューションを提供する最初のグローバルオンラインポータルである。スクリプト作家からディレクター、技術者に至るまで、映画の製作に必要な全ての業種がシステムによって別々のカテゴリにリストされ、検証／認証（validated / authenticated）される。リストされた各エンティティは、幾つか手法で自身のアイデンティティが与えられる。これにより、著作権が保護され、それぞれが相当の信用を得ることが約束され、最も重要な点として、世界中の全ての潜在的映画製作会社のためのグローバル交換プラットホームが形成される。例えば、特定の言語でリストされたスクリプトを買い、完全に異なる言語で映画脚本を完成させて映画を製作し、又は米国からディレクターを採用しながら、そのサービスを利用して、インドでボリウッド超大作を製作し、又はプライベートエクイティファンドにアプローチして、計画中の映画プロジェクトの資金を調達することができる。リストされた各エンティティのサービスは、全ての取引条件（commercial term）及びこれらの利用可能なスケジュール（スケジュールの空き、availability of schedules）と共に、ホームページ上に掲載及び更新される。プロデューサは、リストに提示されている価格を支払う意思がある場合、マウスをクリックするだけで、次の映画のための望ましい俳優、クルー、ディレクター及びスタントマンを指名することができ、或いは、そのプロジェクトの詳細を共有することによって、提示条件でこれらを募集することができる。基本的に、脚本の権利からマーケティングまでの全てを自宅／オフィスから快適に手配することができる。リストされた各エンティティは、論理的プロセスによって到達されたその評価に従ってカテゴリ内で定義される。ポータルは、デフォルトで、世界中の全ての映画製作サービスのためのオークション及び逆オークションプラットホームになることができる。
【００４４】
ポータル
一側面として、国又は言語にかかわりなく、世界中の映画製作会社にエンドツーエンドのソリューションを提供するグローバルオンラインポータルを開示する。作家からディレクター、技術者に至るまで、映画の製作に必要な全ての業種がポータルによって別々のカテゴリにリストされ、検証／認証される。リストされた各エンティティは、論理的プロセスによって到達されたその評価に従ってカテゴリ内で定義される。リストされた各エンティティのサービスは、取引条件及びこれらの利用可能なスケジュールと共に、ホームページ上に掲載される。ポータルは、世界中の全ての映画製作会社のために知的所有権を管理し、グローバル交換プラットホームを形成する。これにより、ある言語でリストされたスクリプトを購入し、これを利用して、異なる言語で映画を製作することもできる。また、これにより、プロデューサは、マウスをクリックするだけで、次の映画のために望ましい俳優及びクルーメンバを指名することができる。
【００４５】
ここに開示するシステム又はポータルは、マルチメディア、エンターテイメント及び映画業界のプロフェッショナルを結びつけ、ユーザがマルチメディア、エンターテイメント及び映画業界の有能なプロフェッショナルに直接的にアクセスするための多くのユニークな機能を提供できる。ポータルの各登録ユーザは、例えば、俳優、ディレクター、歌手、作家等、その専門技術及びサービスに関連付けられ、これによって、これらのサービスを必要とする他のユーザがこれらを検索し、これらに連絡することができる。
【００４６】
ここに開示するポータルは、２つの重要なモジュールであるプロフィール管理及び友達組織（Friends organization）によって、エンターテイメント業界に焦点をあてる。プロフィール管理モジュールは、プロフィール画像、名前、役割、経験、ショーリール、写真、ブログ、ニュース、技能のセットを維持する。友達組織モジュールは、友達リストを維持し、要求を処理し、他のユーザに要求を送信する。プロフィール及び友達リストは、ソーシャルネットワークサイトの２つの主要な機能である。友達組織モジュールは、個人的及び／又は専門的条件の友達のネットワークを広げる。第３の機能は、パブリックコミュニケーション及びコメント機能である。ユーザは、ブログ、ニュース、共有された写真及び動画にコメントし、好き（like）又は嫌い（dislike）を表明することができる。これらのコメントは、顕在的に表示され、そのプロフィールにアクセスした全ての人に可視化される。現実の生活と同様に、人々の間の関係は、単に一対一でなはなく、関係のネットワークとして存在する。
【００４７】
ここに開示するポータルは、ブログ、ニュース、写真及び動画によって情報を拡散するために非常に役立つソーシャルネットワークである。これにより、ユーザは、ユーザの映画業界に関連する情報を最新に更新し、ユーザのフィードバックを提供することができる。例えば、ユーザは、個人の詳細及び写真を含むウェブページを簡単に設定でき、短いショーリールをユーザ間で共有することもできる。要約すれば、このポータルによって、自らの創造的才能を他のユーザに示すことができ、並びに自らの分野にグローバルに接続することができる。
【００４８】
ここに開示する技術は、エンターテイメント業界で働くプロフェッショナルのための確立されたウェブベースのソーシャルネットワーキングシステムを提供するソーシャルネットワーキングポータルを提供することができる。ここでは、ネットワークシステムの範囲、機能、必要条件及び実現可能性を開示する。
【００４９】
ソーシャルネットワーキングウェブサイト又はポータルは、ユーザの社会的及びプロフェッショナルとしての生活をより活発で刺激的なものとするように設計されたオンラインコミュニティである。ソーシャルネットワークにより、ユーザは、写真、更新及びメッセージを共有し、会ったことがない人脈と繋がることによって新しい関係を確立することによって、ユーザのプロフェッショナルとしての生活を進化させ、友達を増やしていくことができる。
【００５０】
ここに開示するポータルは、１つの場所でブログを書く機能も提供する。ブログ機能によって、ユーザは、思想又はアイデアをユーザの友達全員と又はウェブサイトの選択されたユーザと共有することができる。ユーザは、ブログを追跡（chase）することも共有することもできる。
【００５１】
また、ポータルによって、ユーザに毎日自動的に生成されるニュースセクションを提供し、或いは、ユーザは、自らニュースを提供することもでき、同時に、関心がある人とニュースページ自体を共有することもできる。
【００５２】
ここに開示するポータルにより、ユーザの技能及び経験に関連する映画業界において、ユーザが仕事を獲得する機会が高まる。ユーザは、この業界に関連を有する異なる人脈と出会い、これらと連絡をとることができる。
【００５３】
近年の歴史における最も魅力的な変化の１つは、通信及びコンテンツ作成の大衆化（democratization）である。スマートフォンさえあれば、殆ど予算をかけずに誰でも動画を作成でき、大作映画と同じような多くのビューを撮影し、トレーラ及び広告を組み込むこともできる。ソーシャルネットワーキングは、豊富なメディアを複数の世界的なネットワークに配信し、同様の興味によって数百万人をつなげる通信の機会を開いた。
【００５４】
ソーシャルネットワークサイトは、個人が限定されたシステムの範囲内で公開又は一部公開のプロフィールを作成し、接続を共有する他のユーザのリストを定義し、これらの他のユーザの接続のリストを見て（view）及び横断し（traverse）、システム内の更に他のユーザにアクセスすることができるウェブベースのサービスと定義してもよい。これらの接続の性質及び呼び名は、サイトによって異なることがある。ここに開示するポータルは、エンターテイメント業界に関係する異なる専門領域を有するユーザをまとめるエンターテイメント業界のためのソーシャルネットワーキングサイトを提供することに特化されている。
【００５５】
ここに開示するポータルのためのフレームワークは、エンターテイメント業界に特化されている。ユーザは、自らのサービスに応じて、エンターテイメント業界に提供されるプロフィールを登録することができる。ユーザは、エンターテイメント業界の人脈とグローバルに繋がることができる。通信は、ネットワークサイトにとって不可欠なもの（lifeblood）であるため、ユーザには、オンライン通信が提供される。ユーザは、自らのブログを書き込むことができ、ブログに関連する好き／嫌い又はコメントオプションによって他者のブログを追跡することができる。ユーザは、無制限に写真／ショーリールをアップロードすることができ、これらを共有することもできる。
【００５６】
ここに開示するポータルは、世界の異なる地域からの人々を１つの傘の下に集めるソーシャルネットワーキングサイト又はポータルである。ここに開示するポータルは、エンターテイメント業界に特化されており、数百万もの人々がブログ、ニュース、写真及びショーリールによって、これらの友達と最新情報を共有することができる。これらは、写真、ショーリール及びブログを無制限にアップロード及び共有でき、これによって、互いに理解を深めることができる。また、これによって、業界内で人脈を広げる可能性（reachability）を高めることができる。
【００５７】
ここに開示するポータルのフレームワークは、ユーザが自らの技能を広告し、異なるエンターテイメント（例えば、映画）業界内で仕事を得る機会のために自らを宣伝することができるプラットホームをユーザに提供する。ここに開示するポータルは、ユーザをネットワークに関係付け、ユーザがディレクター、プロデューサ、エージェント等に直接的にアクセスする機会を提供する。
【００５８】
ポータル機能
システム又はポータルの機能の例は、検索、ブログ、ニュース、追跡、非追跡（Un-Chase）、共有、評価サービス提供者、ログ、オフラインチャット、ログ履歴及び嫌い（Hate）を含む。ポータルの検索機能は、（サービス、プロダクト又はユーザの検索に応じて）ユーザの詳細及び要求されたサービス又はプロダクトが提供される場所を示すユーザ詳細を世界地図上に表示する。ブログ機能により、ポータルの登録ユーザは、イメージ（写真）、動画（例えば、ＹｏｕＴｕｂｅ(登録商標)動画）等をアップロードするオプションと共に、これらがリンクされたブログを投稿することができる。このブログを用いて、ユーザは、専門的アドバイス、知識及び他の情報を他のユーザ（例えば、同じ関心及びカテゴリ内のユーザ、例えば、俳優）と共有できる。ニュース機能によって、ポータルのユーザ又は管理者は、最新の関連業界ニュースを投稿し、このニュースを他のユーザと共有することができる。ポータルは、投稿されたニュースをフィルタリングして、投稿されたニュースをポータル上の適切なユーザグループに自動的に表示することができる。追跡（Chase）機能により、ユーザは、（特定の関心又はカテゴリ、例えば、俳優等の）ユーザグループの専門家からの投稿（ニュース、ブログ、写真、ショーリール等）をリアルタイムに自動的に取得でき、例えば、俳優等の同じカテゴリ又は専門領域のユーザと知恵を共有することができる。非追跡（Un-Chase）機能により、ユーザは、非追跡に設定されたユーザの投稿が自動的に表示されることを停止できる。
【００５９】
共有機能は、ユーザに共有オプションを提供し、これによって、ユーザは、自らのコンテンツ又は既に共有したコンテンツを他のユーザ及びグループと共有することができる。共有は、友達及び選択されたサービスカテゴリ内で公開されるにように様々な手法で行うことができる。例えば、公開によって共有されたコンテンツは、ポータルの全てのユーザを含む全員が見ることができる。選択された友達のみに共有されたコンテンツは、これらの選択された友達のみが見ることができる。選択されたサービス又はプロダクトカテゴリに共有されたコンテンツは、この選択されたサービス又はプロダクトカテゴリ（すなわち、選択された専門領域）に関連するユーザのみが見ることができる。評価サービス提供者機能は、評価オプションをユーザに提供し、これによって、ユーザは、サービス又はプロダクト提供者についてのユーザの経験に基づいて、サービス又はプロダクト提供者を評価することができる。特定のサービス又はプロダクト提供者に与えられたユーザ評価及びコメントは、他のユーザが見ることができる。ユーザ評価及びコメントを用いて、他のユーザは、特定の専門領域、カテゴリ等における最良の人員を見つけることができる。ログ機能によって、ポータルのログバンクセクションにユーザのプロフィールのログを書き込むことによって、これを更新できる。以下を含む様々なセクションにおいて実行されるあらゆる更新がログセクションに記録される。（１）ニュース（新しく投稿された又はフォローされたニュースについての好き／嫌い又はアドバイスに関するあらゆる更新）、（２）ブログ（新しく投稿又は追跡されたブログについての好き／嫌い又はアドバイス関するあらゆる更新）、（３）写真及びショーリール（動画）（共有された写真及びショーリールについての好き／嫌い又はアドバイスに関するあらゆる更新）、及び（４）円グラフに示されるユーザが訪問したページ。
【００６０】
オフラインチャット機能は、ユーザがオンラインであってもオフラインの状態に設定できるオプションをユーザに提供する。オフラインチャット機能オプションを用いることにより、ユーザは、承認を行うことなく、又はユーザのオンライン／オフラインの状態を知られることなく、既知又は未知のユーザとチャットすることができる。ポータルのログ履歴機能は、ユーザのプロフィールに対する全ての活動のログ履歴を通知数（notification count）として提供する。ログ履歴に記録される活動の幾つかの具体例は、以下を含む。（１）友達申請、（２）共有、（３）アドバイス、（４）好き（５）嫌い、（６）アップロードされた写真、（７）アップロードされたショーリール、及び（８）アップロードされたブログ。ポータルの嫌い（Hate）機能は、アップロードされた投稿について、ユーザが怒り又は嫌悪を示すことができる嫌いオプションを提供する。
【００６１】
登録プロセス
各ユーザは、有効なユーザ名及びパスワードを用いてポータルにログインできる。図２Ａは、ログインプロセス２００を例示する図である。図２Ｂは、例示的なログイン画面２２０を示している。ユーザがポータルにアクセスすると、ポータルは、ログイン証明を求める。ユーザが登録ユーザである場合、ユーザは、自らのユーザ名及びパスワードを使用することによってポータルにログインすることができる。ユーザが未登録である場合、ユーザは、登録フォームに書き込むことによって、ポータルに登録することができる。プロセス２００は、システムがポータルに入るための要求を検出することを含む（２０２）。例えば、システムは、例えば、図２Ｂに示す例示的なログイン画面であるログイン画面２２０によってログインを試みるユーザから要求を受け取ることができる。これは、ユーザＩＤウインドウ２２２を介して、ユーザＩＤ、又はユーザ名及びパスワードウインドウ２２４を介して、パスワードをユーザから受けることを含むことができる。幾つかの実現例では、ユーザは、ユーザＩＤの代わりに自らの携帯電話番号を使用してポータルにログインすることができる。システムは、ユーザがユーザＩＤ及びパスワードを入力した後にログインボタン２２６を選択したことを検出する。これに代えて、システムは、ユーザが参加ボタン２２８を選択して新しいユーザとしての登録プロセスを開始したことを検出することができる。システムは、受け取ったユーザ入力に基づいて、ユーザが既存のユーザであるか新しいユーザであるかを判定することができる（２０４）。システムが「パスワードを忘れた」ボタン２２９のユーザ選択を検出すると（２０６）、システムは、ユーザのパスワードの検索を開始する（２１２）。システムが、ユーザが既存のユーザであり、正しいユーザ証明（すなわち、ユーザＩＤ及びパスワード）を受け取ったと判定すると、ユーザのログインが許可され（２１４）、ユーザは、自らのユーザダッシュボードにアクセスすることができる（２１６）。例えば、参加ボタン２２８のユーザ選択の検出によって、ユーザが新しいユーザであると判定されると（２０８）、システムは、ユーザに登録を行わせ、ポータルに参加させることができる（２１０）。ユーザのサインアップが完了すると、ユーザは、ポータルにログインするためのサインイン又はログイン画面２２０に案内される（２０２）。
【００６２】
システムは、例えば、ログイン画面２２０によって、検出されたエラーに基づくエラー報告を提供できる。例えば、受け取ったユーザＩＤ、パスワード又はこれらの両方が間違っているとシステムが判定した場合、システムは、例えば、「有効なユーザＩＤ及びパスワードを入力してください」といった適切なエラーメッセージを提供することができる。システムが、ユーザＩＤ、パスワード又はこれらの両方が入力されていない（missing）ことを検出すると（すなわち、ユーザＩＤ、パスワード又はこれらの両方が対応するウインドウ２２２及び２２４に入力されていない状態でログインボタン２５６のユーザ選択を検出すると）、システムは、例えば、（１）「ユーザＩＤが入力されていません。有効なユーザＩＤを入力してください。」（２）「パスワードが入力されていません。有効なパスワードを入力してください。」又は（３）「ユーザＩＤ及びパスワードが入力されていません。有効なユーザＩＤ及びパスワードを入力してください。」といったエラーメッセージを表示することができる。
【００６３】
図２Ｃは、例示的な「パスワードを忘れた」画面２３０を示している。既存のユーザが自らのパスワードを忘れた場合、ユーザは、「パスワードを忘れた」画面２３０又はページを選択し、忘れてしまったパスワードを検索するための情報を提供することができる。例えば、「パスワードを忘れた」画面２３０は、ユーザがユーザＩＤ又は電子メールアドレスを入力するための入力ウインドウ２３２を含むことができる。システムが、提出（Submit）ボタン２３４のユーザ選択を検出すると、システムは、ウインドウ２３２に入力された電子メールアドレスが、ユーザに関連する保存されている電子メールアドレスと一致する場合、ユーザの登録された電子メールアドレスに一時的なパスワードを送信できる。パスワードを検索し、ユーザの電子メールアドレスに送信した後、システムは、図２Ｂのログイン画面２２０によってユーザにログインさせ、これにより、ユーザは、ポータルにログオンすることができる。なお、ログインの直後に、ポータルは、パスワードの変更をユーザに尋ねる。
【００６４】
図２Ｄは、他の例示的なログインプロセス２５０のプロセスフローチャートである。プロセス２５０は、ログインページにおいてポータルへのログインの要求を受け取ることを含む（２５２）。ポータルは、ユーザが登録ユーザではないと判定すると（２５７）、ユーザは、登録ページに案内される（２５８）。一旦、登録が完了すると、ユーザは、ログインページに戻される（２５６）。ユーザが登録ユーザであると判定されると（２５３）、ログインの成功（ポータルがユーザ名及びパスワードを検証すること）に応じて、ユーザは、ユーザのプロフィールページに案内される（２５４）。ユーザは、いつでもログアウトを選択することができる（２５５）。プロフィールページを編集する要求が受け取られると、ユーザは、プロフィール編集ページ及び関連するフォームに案内される（２６０）。プロフィール編集ページでは、ユーザは、プロフィール画像編集（２６１）、連絡先編集（２６２）、写真編集（２６３）、経験編集（２６４）、ショーリール編集（２６５）、推奨技能編集（２６６）、好みのカテゴリ編集（２６７）、主要技能（Key skills）編集（２６８）及びブログ編集（２６９）を含む複数の編集を行うことができる。プロフィール編集ページにおけるコンテンツ及び情報の編集は、追加、削除及び修正を含むことができる。
【００６５】
ユーザは、一旦ログインすると、ユーザが選択した選択肢の何れに進むかを選択することができる（２５９）。利用できるユーザ選択肢は、ダッシュボード（２７０）、ブログ（２７１）、ニュース（２７２）、メッセージ（２７３）、検索（２７４）及び通知（２７５）を含むことができる。ダッシュボードのユーザ選択が受信されると（２７０）、友達写真及びショーリール（２７６）、ブログ（２７７）及びニュース（２７８）へのアクセスがユーザに提供される。ブログのユーザ選択が受け取られると（２７１）、ユーザは、ブログを見ることができ（２７９）及びブログを書くことができる（２８３）。ユーザは、ダッシュボード上でアクセス可能なブログから、ブログを見ることもできる。ニュースのユーザ選択が受け取られると（２７２）、ユーザには、ニュースを見る（２８０）又はニュースを載せる（place）（２８４）といったオプションが提供される。また、ユーザは、ユーザがダッシュボードを介してアクセスしたニュースからニュースを載せる（place）こともできる。メッセージのユーザ選択が受け取られると（２７３）、ユーザは、チャットページ２８１に案内され、ここで、ユーザは、他のユーザへのメッセージを書き、他のユーザに送信することができる（２８７）。検索のユーザ選択が受け取られると（２７４）、ユーザは、検索ページに案内される（２８２）。検索ページにより、ユーザは、サービス、プロダクト、ユーザ等を検索するための要求を提出することができる（２８８）。通知のユーザ選択が受け取られると（２７５）、ユーザは、メッセージページに案内され（２８９）、これにより、ユーザは、メッセージを見ることができる。更に、ユーザは、ユーザプロフィールページ２５４において自らのブログを書くことができる。
【００６６】
図３Ａ及び図３Ｂは、ユーザを案内してアカウントを作成させる例示的なアカウント作成画面３００及び３２０を示している。ユーザは、ユーザの詳細な情報を提供することによって、システムアカウントのための登録を行うことができる。次に、ユーザは、写真、動画又はショーリールをアップロードし、リストに掲載を望むカテゴリを指定し、業界経験と共に専門分野を説明するよう指示される。但し、これは、全ての登録ユーザにとっての義務ではない。ユーザのアカウントを作成するために、画面３００及び３２０は、ユーザ情報を受け付けるためのフィールドのリストを提供し、これには、ファーストネームフィールド３０２、ラストネームフィールド３０４、電子メールアドレスフィールド３０６、パスワードフィールド３０８、国コードフィールド３１０、電話番号フィールド３１２、性別フィールド３２２、３２４、ユーザ肩書きフィールド３２８、生年月日フィールド３２６及び条件受入フィールド３３０等が含まれる。ユーザが（例えば、図２Ｂ内の参加ボタン又はリンク２２８をクリックすることによって）選択を行ったことをシステムが検出すると、システムは、ユーザを登録画面又はページ３００及び３２０に案内する。
【００６７】
登録ユーザの検証を強化するために、図３Ａ及び図３Ｂ内のフィールドの一部又は全部を義務付けてもよい。ユーザは、既に登録されているユーザに関係付けられている電子メールＩＤ又はユーザＩＤを使用して登録することは許可されない。電話番号及び国コードの有効性は、システムによって検証される。画面３００は、「次へ」ボタン３１４を含むことができ、これにより、ユーザは、次画面３２０に案内され、更なる情報を入力することができる。次画面３２０は、生年月日フィールド３２６を含むことができ、この日付は、現在の日付と照合して有効な日付であるかについても検証される。ユーザは、ポータルの契約条件を受け入れるために、条件受入フィールドボタン３３０をチェックする必要がある。画面３２０は、ユーザが画面３００及び３２０に入力された情報を提出するための提出ボタン３３２を含む。画面３２０は、ユーザがポータルにログインするためのサインインボタン３３４を含むことができる。幾つかの実現例では、画面３００及び３２０は、１つの画面又はページに統合してもよい。
【００６８】
システムは、更に、登録画面３００及び３２０にエラーメッセージ報告を提供する。フィールドについて有効な条件が満たされない場合、このフィールドについて対応するエラーメッセージが表示され、この表示は、エラーの視覚的強調を含むことができる。例えば、エラーは、フォントカラ−（例えば赤）を用いて視覚的に強調してもよい。電子メールＩＤエラーメッセージは、例えば、「電子メールＩｄが無効です！」又は「既に使用されている電子メールＩＤです。」等を含むことができる。電話番号確認及び確認エラーメッセージは、例えば、「既に使用されている電話番号です。」又は「１０桁が必要です。」等を含むことができる。
【００６９】
また、システムは、確認メールプロセスを含む。登録が完了すると、ユーザの登録された電子メールアドレスに確認のための電子メールが送信される。ユーザは、ユーザがポータルにサインアップし、登録を行ったときに送信されたメール内のリンクを開くことによって、電子メールアドレスを確認することができる。電子メールアドレス又は電話番号を確認することによって、システムがユーザアカウントの詳細を正しい電子メールアドレス及び正しいユーザに送信したことを検証することができる。
【００７０】
図３Ｃは、ユーザがサインアッププロセスの一部として様々なユーザ情報を提供することができる例示的な登録フォーム３３０を示す図である。登録フォーム３３０は個人詳細セクション３３２、法人詳細セクション３３４、パスワードセクション３３６及び経験詳細セクション３３８を含むことができる。登録フォーム３３０は、異なるセクション３３２、３３４、３３６、３３８の何れか１つ又はこれらの如何なる組合せを含んでいてもよい。登録フォーム３３０は、ユーザの業界における経験を含むユーザに関する様々な情報をユーザがシェアできる図３Ｃに示していない更なるセクションを含んでいてもよい。
【００７１】
ログインプロセスが成功すると、ユーザには、ユーザのデッキ又はプロフィールページが表示され、ここで、ユーザは、ユーザのクレジットに関連付けられた最近の仕事プロフィールを含むユーザの最新の情報にアクセスして、ユーザのプロフィールを自らの意思で編集及び更新することができる。各ユーザは、例えば、主に各ユーザの経験を議論すること及び新技能を取り入れる目的でポータル上のフォーラムに参加できる。
【００７２】
図４Ａ、図４Ｂ、図４Ｃ、図４Ｄ、図４Ｅ、図４Ｆ及び図４Ｇは、例示的なプロフィールページ４００の異なるセクションを示している。ログインに成功するとログインしたユーザは、自動的に自らのプロフィールページに案内される。また、各ユーザは、「プロフィール設定」をクリックし、次にドロップダウンメニューパネル４０２から「プロフィール」を選択することによっても自らのプロフィールページにアクセスすることができる。各ユーザは、プロフィール写真をアップロードし、職歴及び学歴を追加することによって、自らのプロフィールページをカスタマイズすることができる。プロフィールページは、複数のセクションを含むことができる。プロフィールページには、例えば、プロフィール画像セクション（プロフィール写真、名前及びサービス）、個人情報（ユーザＩＤ、サービス、生年月日、電話番号）、ブログ（ユーザはこのセクションからブログをアップロードすることができる）、ニュース（ユーザは自らニュースを提供することもできる）、写真ギャラリ、ショーリール、経験（期間及び説明を含む専門的経験）、好みのサービス、主要技能（更なる技能）、新技能、教育、推奨技能（ユーザの友達によって推奨された技能）等の様々なセクションが含まれる。
【００７３】
図４Ａは、プロフィールページ４００の主セクションを示している。図４Ｂは、経験（期間及び説明を含む専門的経験）４０４及び好みのサービス４０６のセクションを表している。図４Ｃは、新技能４０８、推奨技能４１０及び教育４１２のセクションを示している。図４Ｄ、図４Ｅ及び図４Ｆは、写真ギャラリ４１４のセクションを示している。ユーザは、「新しい写真を追加」アイコン４１６をクリックすることによって写真をアップロードすることができる。アップロードされた写真は、写真ギャラリページ４１４上で見ることができる。ユーザは、写真ギャラリセクション４１４において、所望の写真をクリックし、続いて次ボタンをクリックすることによって、写真を見ることができる。写真をクリックすることによって、写真を共有又は削除することもできる。図４Ｇ及び図４Ｈは、ショーリールセクション４１８を示している。ショーリールアップロードフォーム４２０は、ショーリールタイトルフィールド及びアップロードボタンを提供し、これによって、ユーザは、任意のショーリールをアップロードすることができる。例えば、「１回につき１つのショーリールをアップロードしてください」といった適切なメッセージを表示することもできる。エラーが生じた場合、例えば、「アップロードに失敗しました−最初にタイトルを入力し、次にショーリールを選択してください。」といった適切なエラーメッセージを表示してもよい。図４Ｈに示すように、アップロードされたショーリールは、ポップアップ画面４２２で見ることができる。図４Ｉは、プロフィールページ４００の一部としてプロフィール更新フォーム４２４を示している。図４Ｊは、タイトル、ラジオボタン画像、ＹｏｕＴｕｂｅ(登録商標)リンク、説明等のフィールドを含むブログ追加フォーム４２６を示しており、これにより、ユーザは、ブログを追加することができる。図４Ｋは、ユーザがニュースを追加するためのニュースフォーム４２８を示している。図４Ｌは、ユーザが経験を追加するための経験フォーム４３０を示している。図４Ｍは、ユーザが好みのサービスを追加するための好みのサービスフォーム４３０を示している。図４Ｎは、ユーザが自らの新技能又は主要技能を追加するための新技能フォーム４３２を示している。図４Ｏは、推奨技能セクション４１０を示しているユーザは、自動生成される質問４３６への回答を入力することによって、自らの友達を推奨することができる。この推奨動作によって、推奨技能セクション４１０における推奨された友達のプロフィールが自動的に更新される。自動生成される質問の例は、「シェーンは、ディレクター業務の知識がありますか？」等を含む。図４Ｐは、ユーザが自らの教育を追加するための教育フォーム４３８を示している。図４Ｑは、ユーザが任意の個人とショーリールを共有するためのショーリール共有フォーム４４０を示している。システムは、幾つかの共有オプションを提供する。ショーリール又は他の何れのコンテンツも、全てのユーザと共有してもよく（すなわち、全公開）、リスト内の選択された友達と共有してもよく（友達限定）、例えば、ディレクター、俳優、スクリプト作家等のサービス提供者と共有してもよい（公開先指定）。ユーザは、タ���ゲットユーザと写真、ショーリール、ブログ及びニュースを共有することができる。図４Ｒは、写真共有フォーム４４２を示している。対応するコンテンツを共有するために、異なるフォームを提供してもよい。
【００７４】
デッキ又はプロフィールページによって、ユーザは、１つの安全な場所から、これらの投稿、個人のアカウント設定、業界情報、メッセージ、これらの現在の投稿ステータス、フォーラム及び他の情報を追跡及び管理することができる。図５は、プロダクト及びサービスを投稿する例示的プロセス５００を示すフローチャートである。ユーザは、何を探していいか明確でない場合、或いはシステム上又は特定のカテゴリ内のプロダクト及びサービスの範囲を単に調査したい場合、リストを閲覧することができる。プロセス５００は、登録ユーザ（５０２）からプロダクト又はサービスの投稿の開始を受信するシステムを含むことができる。全ての登録ユーザは、自らのプロダクト、サービス及び専門領域を投稿することができる。システムは、プロダクト、サービス等の動画、ショーリール又は写真を投稿の一部として受信することができる（５０４）。システムは、投稿された写真、動画、ショーリール等を含む投稿を確認し、検証し又はこの両方を行う。確認、検証又はこの両方が完了すると、投稿のコンテンツがポータルに保存される（５０８）。システムは、ポータルに保存された投稿を、ポータルにおけるディスプレイ及びビュー（display and view）のために提供する（５１０）。ユーザは、このセクションにおいて、例えば、ＹｏｕＴｕｂｅ(登録商標)動画又はイメージ等のコンテンツをアップロードするためのオプションを含むブログ追加フォームを用いて、新しいブログをアップロードすることができる。例えば、動画をアップロードするために、ユーザは、ＹｏｕＴｕｂｅ(登録商標)リンクテキストボックス内にＹｏｕＴｕｂｅ(登録商標)動画の埋め込みコードをペーストすることができる。
【００７５】
図６は、例示的なブログページ６００を示している。ダッシュボードのブログセクションから「全て表示」リンクをクリックし、ヘッダのブログシンボル６０２をクリックすることによってブログを表示させることができる。ダッシュボード上の特定のブログの「更なるリンクを表示」によって、その単一のブログが表示される。ブログページは、マイブログ６０４及びお勧めブログ６０６の２つのセクションに分けられている。また、右下には、お勧め友達オプション６０８が示されている。マイブログ６０４は、ユーザ自身のブログを含む、非追跡オプションによる友達のブログを含む。お勧めブログ６０６は、追跡オプションを有する他のユーザ（お勧めの友達）によってアップロードされたブログを含む。
【００７６】
図７Ａ、図７Ｂ及び図７Ｃは、例示的なニュースセクション７００を示している。ニュースは、このページから又はプロフィールページからユーザによってアップロードしてもよい。幾つかの具体例では、ニュースは管理側から提供してもよい。ニュースは、「好き」、「嫌い」、「コメント」及び（友達又は各サービスと）「ニュースを共有」等、ユーザによって提供されるフィードバック７０６を含むユーザのためのオプションと共に、著者名に関連付けられる。ニュースと共に、ユーザは、お勧め友達オプション７０４から友達を追加することができる。ニュースセクション７００は、ダッシュボードから直接表示させることができ、又はヘッダ上でニュースアイコン７０２をクリックすることによって表示させることもできる。ユーザは、ダッシュボード又はプロフィールページのニュースセクション７００から「詳細を表示」リンクをクリックすることで、特定のニュースページに進むことができる。ユーザは、ニュースページから又はプロフィールページからニュースをアップロードすることができる。図７Ｃに示すように、ユーザは、ニュース共有フォーム７０８を用いてニュースを共有することができる。
【００７７】
また、ユーザは、ユーザが特定のアイテムを探している場合、幾つかの単語を入力することによって、アイテムを検索することができる。このような場合、ユーザは、単に検索ボックスにユーザが検索を望むアイテムを表す幾つかの単語を２、３語入力し、カテゴリを選択し、「検索」ボタンをクリックするだけでよい。これにより、システムによる検索結果ページがリストとして表示される。ユーザは、自らの検索結果ページをレビューし、ユーザの関心の度合いに応じて、タイトルをクリックし、これにより、サービス提供者に関する更なる詳細が表示される。図８Ａ、図８Ｂ及び図８Ｃは、例示的な検索ページ８００を示している。ユーザは、単に検索ボックス８０４に幾つかの単語を入力するだけで、サービスＩＤ、ユーザ名等に基づいて、サービス又はユーザを検索することができる。検索の結果のリストは、地図８０６上の場所で生成される。このセクションから、ユーザは、要求を送信し、公開されているプロフィールを閲覧し、対象者にメッセージを送ることができる。検索ページ８００に関連して、ユーザは、評価ページ８０８にアクセスすることができる。
【００７８】
ユーザは、友達申請を他のユーザに送信することによって自らのネットワークを広げることができる。ユーザは、興味のレベルに応じて、プロフィール写真をクリックすることによって、検索ページ、公開プロフィールページ、推奨友達セクション（ブログページ、ニュースページ、メッセージページ）及びメッセージポップアップフォーム（ダッシュボード）を含むこれらの詳細を閲覧できる。図８Ｂは、検索ページから友達申請を送信する例を示している。関心があるユーザは、図８Ｃに示す検索ページから要求送信ボタン８１０及びメッセージ送信ボタン８１２を用いて友達申請又はメッセージを送信することができる。メッセージは、未読メッセージとしての受取人のダッシュボードへのアラートとして送信される。検索により、検索されたユーザの公開プロフィールページを返してもよい。公開プロフィールは、他のユーザがそのユーザのプロフィールに関連する情報を見ることができるページである。ユーザは、プロフィール設定を用いて、このプロフィールページが公開されることをブロックすることができる。公開プロフィールページは、プロフィールセクション（プロフィール写真、ユーザ名、サービス名、友達送信オプション、メッセージ送信）８１４、コネクション（友達の数）セクション８１６、ブログ（追跡オプション及びカウントによるユーザのブログカウント及びタイトル）セクション８１８及び経験セクション８２０を含む複数のセクションを含む。
【００７９】
ユーザが自らの関連するプロダクト及びサービスを発見すると、ユーザは、プロダクト及び／又はサービス提供者にオフラインで連絡する。ポータルは、何れかの買い手がプロダクト及び／又はサービスを求めている場合、特定のカテゴリの各提供者の全てにアラートを提供する。提供者へのアラートは、ユーザのデッキ上で選択された好みに応じて、ポータルによって送信される。各サービス提供者は、デッキ（DECK）における自らの設定に従って、好みの手法で関心がある買い手に連絡することができる。図９Ａ、図９Ｂ、図９Ｃ、図９Ｄ、図９Ｅ、図９Ｆ、図９Ｇ、図９Ｈ、図９Ｉ、図９Ｊ、図９Ｋ及び図９Ｌは、ダッシュボード９００の様々な側面を示している。
【００８０】
図９Ａは、ダッシュボード上の友達申請及び未読メッセージアラートを示している。ユーザは、ダッシュボードアイコンボタン９０１を選択することによってダッシュボードにアクセスすることができる。ユーザは、友達申請又はメッセージを送信することによって、自らの関心を各ユーザに伝えることができる。更に、ダッシュボードは、右側（１６１ｘ６２３）及びフッタ（７２０ｘ９０）上のバナーとして、広告を提供する。図９Ｂ及び図９Ｃは、友達申請９０２及び未読メッセージ９０３のポップアップの例を示している。図９Ｄは、共有ギャラリセクション９０４を示している。共有されたショーリールは、共有ショーリールページ又はセクション９０４において、「全てを表示」リンクをクリックすることによって表示させることができる。ユーザには、共有ユーザ名及び共有タイミングが提供される。共有は、公開（デフォルトとして全てのユーザに共有される）、友達（友達リストから選択された友達に共有される）、及び公開先指定（例えば、ディレクター、スクリプト作家、俳優等のサービスに共有される）を含む３通りに分類することができる。更に、ダッシュボードは、右側（１６１ｘ６２３）及びフッタ（７２０ｘ９０）上のバナーとして、広告を提供する。図９Ｅは、共有ショーリールウォッチページ又はセクション９０６を示している。１つの共有ショーリールは、ショーリールタイトル名、共有ユーザ名、好き／嫌いオプション、コメントオプション、好き／嫌い及びコメント数、他のユーザへの共有といった詳細項目を有する。図９Ｆは、共有写真ギャラリページ９０８を示している。共有写真ギャラリページ９０８には、ユーザの共有写真が表示される。共有写真は、共有された写真及び共有日時等の属性を有する。図９Ｇは、共有写真閲覧ページ９１０を示している。共有写真は、例えば、写真タイトル名、共有ユーザ名、好き／嫌いオプション、コメントオプション、好き／嫌い及びコメント数等の属性を有することができる。図９Ｈは、コネクションページ９１２を示している。コネクションページは、現在友達リストにリストされているユーザ全員を示す。ユーザは、「全てのコネクションを見る」を選択することによって、友達リストページを表示させることができる。友達リストページは、友達ではない特定のユーザ又はそのプロフィール（公開プロフィール）を見ることができるユーザのオプションを有する。図９Ｉは、公開プロフィールページ９１４を示している。ユーザは、プロフィール写真をクリックすることによって、公開プロフィールページにアクセスし、自らの友達のプロフィールを見ることができる。公開プロフィールページは、各ユーザの経験セクション９１６、ブログセクション９１８及びコネクションセクション９２０に関連付けられている。図９Ｊは、友達評価セクションを示している。ユーザは、一回のクリックでポップアップフォーム９２２を提供するダッシュボード上の評価スライダを用いて友達を評価することができる。評価は、５つの星から星をクリックすることによって提供してもよい。また、星に加えて、コメントボックス９２４も提供されている。図９Ｋは、検索結果９２６に関する星評価を示している。検索結果では、星評価を見ることができる。星評価９２７をクリックすることによって、評価の詳細が表示される。検索結果に関連付けられた星評価をクリックすると、図９Ｌに示すような評価詳細ページ９２８が表示される。評価の詳細ページには、ユーザ名及びこのユーザを評価した友達が表示される。
【００８１】
システムは、通知システムも提供する。ユーザデッキ又はプロフィールページ領域内のアラートのためのオプションは、以下を含むことができる。
１．ＳＭＳ
２．電子メール
３．モバイル及びタブレットアプリケーション
４．ユーザデッキ内のウェブアラート
【００８２】
図１０Ａは、通知アイコン１０００及びタイムラインページ１００２を示している。通知は、ユーザのプロフィールの何らかの更新をユーザに通知するアラートである。ユーザのプロフィールに関連するあらゆる更新が通知アイコン１０００のカウントとして示され、タイムラインページ１００２上で詳細を確認することができる。ドロップダウンリスト１００４は、プロフィールに関連する最新の通知を示す。通知は、友達申請関連の更新、共有ショーリール、共有写真、ショーリールへの好き／嫌い、並びに写真、ブログ、ニュース等の様々なセクションからのアラートを示す。ユーザは、ショーリール、写真、ブログ及びニュースについてのコメントを提供することもできる。図１０Ｂに示すタイムライン１００２では、イベントのリストが通知を基準として時間順に表示されている。
【００８３】
図１０Ｃは、例示的なメッセージページ１００６を示している。ユーザは、オフラインの友達又はユーザにメッセージを送ることができ、更にオンラインのユーザとチャットを行うことができる。ユーザは、友達と個別に又はグループでチャットを行うことができる。また、このページは、友達のオンライン又はオフラインの状態を示している。友達からのメッセージの受信に応じて、メッセージ数が増加する。ユーザは、メッセージページから又は公開プロフィールページからメッセージを送信し、又はここでメッセージを読むことができる。
【００８４】
図１０Ｄは、ユーザがオフライン又はオンラインの友達とチャットを行うことができる例示的なチャットウインドウ１００８を示している。オフラインチャットは、オフラインであるユーザ又は自らのプライバシ設定でチャットをオフにしているユーザと行うことができる。受信側がオフラインである又は自らのチャットオプションをオフにしていると判定されると、メッセージの送信側にエラーメッセージを送信してもよい。例示的なエラーメッセージは、例えば、「ジャックは、現在チャットができません。あなたのメッセージを後ほど確認します。」を含むことができる。ユーザは、自らの公開プロフィールページから他のユーザにメッセージを送ることもできる。
【００８５】
図１０Ｅは、例示的なメッセージポップアップウインドウ１０１０を示している。メッセージポップアップ：上述のようにして送信されたメッセージがダッシュボードに表示され、及び友達申請を送信するオプションも有する。
【００８６】
図１１は、プロダクト及びサービスを検索するための例示的プロセス１１００を示すフローチャートである。プロフィールの投稿は、無料である。ユーザは、料金を支払うことなく、有料のプロダクト及びサービスを表示又は投稿することができる。ユーザは、プロダクト及びサービスを無料で検索することができる。但し、連絡先の詳細がポータル上で無料である場合に限る。プロセス１１００は、ユーザから映画業界に関係を有するサービス又はプロダクトについての検索要求を受信することを含む（１１０２）。システムは、検索されたプロダクト及び／又はサービスについての登録ユーザの詳細な情報、動画、写真、ショーリール等を含む、検索されたプロダクト及び／又はサービスを提供することができる全ての登録ユーザのリストを表示する（１１０４）。システムは、検索されたプロダクト及びサービスを提供する全てのユーザにアラートを送り、このアラートは、これらのサービス又はプロダクトを誰が検索したかといった、見込み客（検索を要求したユーザ）の詳細を含んでいてもよい（１１０８）。システムは、サービス又はプロダクトを提供することができるユーザとの通信を可能にするプロセスを提供する（１１１０）。システムは、検索されたサービス又はプロダクトを提供するユーザのリストからユーザ選択を受信する（１１０６）。ユーザ選択により、選択されたサービス又はプロダクトの提供者へのメッセージの送信がトリガされる。ポータルは、選択されたサービス又はプロダクトの選択された提供者にメッセージを送る（１１１２）。サービス又はプロダクトの提供者は、検索を要求したユーザからメッセージを受信し、及びユーザが必要とするサービス又はプロダクトの詳細を受信する（１１１４）。
【００８７】
ポータルは、上述したオプション以外に、以下を提供することもできる。
１．関連するプロダクト及びサービス提供者のデッキ又はプロフィールページにおける有用な情報及び業界ニュースの表示
２．関連するプロダクト及びサービス提供者がこれらの業界における最新の事情又は問題を検討するグループフォーラム
３．専門家のインタビュー
４．プロフィール、投稿及び注文状態の全てが管理される個人化されたデッキを全てのユーザに提供
５．最良の可視性オプションを有する全てのユーザのために指定された広告スペース
【００８８】
図１２は、ポータルの例示的な機能の集合１２００を示している。ポータルの機能１２００の例は、フォーラム、広告、ニュース、情報、専門的見解、個人化されたデッキ又はプロフィールページを含むことができる。
【００８９】
更なるポータル機能
以上のセクションで記述した機能に加えて、ここに開示する技術によって提供されるポータル又はシステムは、ユーザがマルチメディア、エンターテイメント及び映画業界の有能なプロフェッショナルに直接的にアクセスすることを可能にする更なる機能を提供することができる。更なる機能の例は、相互交友、プライバシ設定、公開プロフィール、パスワード変更、及び推奨機能等を含むことができる。
【００９０】
相互交友機能（Mutual Associates  feature）は、相互交友、すなわち、互いに知り合いであるか否かを問わず、２人の個人の友達である共通のユーザの識別情報を提供する。相互交友機能を用いることにより、ユーザは、自らの友達のネットワークを広げることができる。図１３は、相互交友又は友達リスト１３００に相互交友を表示及び特定する例を示している。相互友達リスト１３００には、知り合いである又は知り合いではない２人のユーザの両方の友達である共通のユーザが表示される。相互友達オプション１３０２は、お勧めの友達と共に、すなわち、ブログ、ニュース及びメッセージ上に表示される。
【００９１】
プライバシ設定機能は、ポータル上で利用可能な制限を提供し、これにより、ユーザは、自らのプロフィールに誰がアクセスできるかを制限でき、訪問者が見ることができる情報を制限できる。図１４は、プライバシ設定１４００ページの例を示している。このページは、「プロフィール設定」をクリックし、続いて、ドロップダウンメニューパネル１４０２から「プライバシ設定」を選択することによってアクセスすることができる。プライバシ設定機能は、以下のオプションを含む（１）プロフィール：ユーザは、プロフィールセクションのＯＮ／ＯＦＦによって状態を変更することによって、自らのプロフィールコンテンツを隠すことができる。（２）メッセージ：ユーザは、メッセージ設定オプションにおいて、ＯＮ／ＯＦＦにより自らの状態をオンラインからオフラインに変更することができる。（３）ブログ：ユーザは、自らのブログについて、ＯＮ／ＯＦＦに変更可能な公開／非公開オプションを選択できる。（４）共有：ユーザは、ＯＮ／ＯＦＦとして状態を変更することによって、共有オプションを隠すことができる。（５）電子メール：ユーザは、通知に関連する不要なメールを拒否することができる。（６）アカウント：このボタンにより、ユーザを非アクティブにすることができる。
【００９２】
公開プロフィール機能は、公開される、すなわち、ユーザの友達でない人を含む全ての人が見ることができるプロフィールページを含む。図１５は、公開プロフィールページ１５００の例を示している。ユーザは、プライバシ設定オプションによって、このプロフィールページ１５００を非表示にすることもできる。このページは、検索結果において、ユーザの「プロフィール写真」をクリックすることによってアクセスすることができる。
【００９３】
公開プロフィールは、公開されるユーザのプロフィールページである。ユーザは、プロフィール設定を変更することによって、他のユーザに表示されることをブロックすることができる。プロフィールページ１５００は、以下を含む様々なセクションを提供する。（１）プロフィールセクション（プロフィール写真、ユーザ名、サービス名、友達申請オプション、メッセージ送信）１５０２、（２）コネクション（友達数）１５０４、（３）ブログ（追跡オプション及びカウントを含むユーザのブログ数及びタイトル）１５０６、（４）経験１５０８。興味を持ったユーザは、このセクションからメッセージを送ることができ、これは、ダッシュボードに未読メッセージとして送信される。
【００９４】
パスワード変更機能により、ユーザは、パスワードを、現在の値ではなく、所望の新たな値にリセットできる。図１６は、パスワード変更フォーム１６００の例を示している。このページは、「プロフィール設定」をクリックし、続いてドロップダウンメニューパネル１６０２から「パスワード変更」を選択することによってアクセスすることができる。パスワード変更フォーム１６００は、以下を含む幾つかフィールドを含む。（１）古いパスワード（現在のパスワード）、（２）新しいパスワード（新しいパスワードを入力。これは古いパスワードと異なる必要がある）、及び（３）新しいパスワードの確認（確認パスワードは、新しいパスワードと同じである必要がある）。ポータルは、検証を行い、必要なフィールドが正しく入力されていない場合、関連する検証エラーメッセージを表示する。エラーメッセージの例は、以下を含むことができる。（１）古いパスワードについてのエラーメッセージ：「古いパスワードを入力してください」、「古いパスワードが一致しません」、（２）新しいパスワードが古いパスワードと同じである場合のエラーメッセージ：「新しいパスワードが古いパスワードと同じです！」、（３）新しいパスワードについてのエラーメッセージ：「新しいパスワードを入力してください」、（４）確認パスワードについてのエラーメッセージ：「新しいパスワードと確認パスワードは、同じである必要があります！」。
【００９５】
推奨機能によって、ユーザは、これらの好ましい技能の組に関して、互いを簡単に推薦することができる。図１７は、例示的な推奨技能セクション１７００を示している。ユーザは、自動生成される質問１７０２に回答を入力することによって、自らの友達を推奨することができる。これにより、友達のプロフィール推奨技能セクションが自動的に更新される。推奨に関する質問は、「シェーンは、ディレクター業務の知識がありますか？」等を含むことができ、この回答によって、ユーザプロフィールページ内の推奨技能セクションが自動的に更新される。
【００９６】
管理機能
図１８Ａは、管理パネルに入るための例示的なログイン画面１８００を示している。ポータルの管理者は、登録、コンテンツ並びにシステムの外観に関する完全な管理権限（full control）を有する。この役割が割り当てられるユーザは、以下のユーザのみである。（１）管理者、（２）マネージャ、及び（３）オペレータが管理パネルにログインすることができる。
【００９７】
ポータル又はシステムは、バックエンドで実行される様々な管理機能を含み、これにより、適切な権限を有する管理者又は他のポータル担当者は、ポータルのコンテンツを制御及び操作することができる。ユーザは、管理又はバックエンドの権限を有する場合にのみ、管理者インターフェースにログインすることができる。すなわち、有効なユーザ名及びパスワードを有するユーザのみがログインできる。ログインに成功したユーザは、管理コントロールパネルへのアクセス権を有する。管理コントロールパネルへのアクセスのレベルは、管理者、マネージャ又はオペレータ等のユーザタイプに依存する。図１８Ｂは、管理パネルへのログインプロセス１８００のプロセスフローチャートを示している。プロセス１８００は、管理ユーザがユーザＩＤ又はユーザ名及びパスワードを入力することによって、管理パネルへのログインを試みることを含む（１８０２）。システム又はポータルは、ユーザ名及びパスワードを検証することによって、ユーザは、既存のユーザであるか否かを判定する（１８０４）。ユーザが既存のユーザ（例えば、有効なユーザ名）であるが、ユーザが自らのパスワードを忘れてしまった場合、ユーザは、「パスワードを忘れた」プロセスに案内される（１８０６）。ユーザが既存のユーザでない場合、ユーザは、登録プロセスに案内される（１８０８）。登録が完了すると、新しく登録されたユーザは、管理パネルにログインするためのログインページに案内される（１８０２）。システムは、既存のユーザのパスワードを検索する要求を受信すると、要求されたパスワードを検索し、これを（例えば、登録された電子メールを介して）ユーザに提供する（１８１２）。ユーザは、検索されたパスワードを使用してログインを行う（１８１０）。ログインにおいて、有効なユーザ名及びパスワードに応じて（１８１０）、ユーザは、管理ダッシュボードにアクセスすることができる（１８１４）。
【００９８】
パスワードを忘れた場合：管理ユーザがパスワードを忘れた場合、「パスワードを忘れた」ページに入力を行い、ここから、個人のＩＤに一時的なパスワードが送信される。パスワードを検索した後、ユーザは、管理パネルにログインすることができる。ログインの直後に、管理パネルは、パスワードの変更を求める。
【００９９】
管理者登録：管理パネルユーザは、バックエンドからユーザのＩＤ及びパスワードを追加、編集及び削除することができる。これを行うためには、管理ユーザは、上位管理者（Super Administrator）グループのメンバとしてログインする必要がある。追加される管理ユーザは、通常、役割又はユーザタイプ、例えば、管理者、マネージャ、オペレータ等に基づいて分類される。これらの役割に従って、ユーザには、ダッシュボード及び管理パネルの他の部分へのアクセスのレベルが提供される。例えば、管理者のタイプのユーザは、管理ユーザセクションにアクセスでき、ここでは、関連する編集／削除オプションによって、新しいユーザを登録することができる。ファーストネーム、ラストネーム、携帯電話番号、ユーザタイプ等の新しいユーザの証明を登録するためには、有効な管理ユーザ名及びパスワードを入力する必要がある。有効な管理ユーザ名及びパスワードが入力されると、管理ユーザは、管理パネルにログインすることができる。図１８Ｃは、例示的な管理ユーザリストセクション１８２０を示している。管理ユーザリストセクション１８２０は、新しい管理ユーザを更新及び追加するために使用される。管理ユーザの属性は、（１）名前、（２）連絡先番号、（３）電子メールＩＤ、（４）ユーザタイプ（管理者、マネージャ及びオペレータ）及び（５）操作（管理ユーザの編集又は削除）を含む。図１８Ｄは、例示的な管理ユーザ追加フォーム１８２２を示している。管理ユーザ追加フォーム１８２２は、管理ユーザを追加するために使用され、ファーストネーム、ラストネーム、電子メールアドレス、パスワード、携帯電話番号（１０桁検証）、ユーザタイプ（管理者、マネージャ及びオペレータ）を含むフィールド又は属性に関係する。
【０１００】
登録ポータルユーザ（画面）：ポータルユーザは、バックエンド管理パネルから手動で登録を行うことができる。これらのユーザを登録するために、管理パネルは、ファーストネーム、ラストネーム、ユーザ名、パスワード、モバイルコード、携帯電話番号、性別、生年月日及びユーザが提供するサービス等の関連する詳細を含む登録フォームを備えている。登録が完了すると、ユーザは、そのユーザ名及びパスワードを入力することによってウェブサイトにログインすることができる。ウェブサイト又はポータルに提供されるあらゆる更新又はコンテンツは、管理パネルによって編集又は削除することができる。管理パネルは、ユーザのアカウントに完全なアクセス権限を有し、すなわち、ユーザのアカウントを有効化、無効化又は削除することができる。これにより、管理パネルは、登録ユーザを完全にコントロールできる。図１８Ｅは、例示的なポータルユーザ追加登録フォーム１８２４を示している。新しいポータルユーザを追加するために、ポータルユーザ追加登録フォーム１８２４は、以下のフィールドを含む（１）以下のような基本的証明情報を含むユーザ、（２）ファーストネーム、（３）ラストネーム、（４）電子メールアドレス、（５）パスワード、（６）モバイルコード及び番号、（７）性別、（８）生年月日及び（９）サービス。
【０１０１】
ダッシュボード（画面）：ユーザがバックエンド管理パネルにログインすると、ユーザには、ダッシュボードとも呼ばれるコントロールパネルが表示される。このダッシュボードから、管理パネルは、ポータルユーザによって行われるあらゆる活動又は更新を追跡することができる。ダッシュボードは、ユーザ情報を示す円グラフ及び棒グラフを含む。円グラフは、新しく追加されたユーザ、オンラインユーザ、非アクティブ化ユーザ及びハーフログインユーザ（half login users）によってユーザの総数に関する情報等を提供する。棒グラフは、国別情報、すなわち、特定の国に関連するユーザの数を提供する。図１８Ｆは、例示的なダッシュボード１８３０を示している。ログインに成功すると、管理ユーザは、管理ダッシュボードに案内される。管理ダッシュボードは、以下のような様々なセクションを含む。（１）円グラフ：全ユーザ、新しく追加されたユーザ、現在オンラインのユーザ、非アクティブ化されたユーザ及びハーフログインユーザ。（２）棒グラフ：各バーは、特定の国に属するユーザ数を示し、ユーザが国に割り当てられていない場合、これは、他のバーで示される。（３）全体（ブログ、ニュース、ショーリール、写真ギャラリ）。（４）新規追加（ブログ、ニュース、ショーリール、写真ギャラリ）。（５）地理的情報（国、ユーザ、オンライン、ページビュー）。
【０１０２】
ブログ：管理ユーザは、ポータルユーザによってオンラインで投稿される各ブログを追跡できる。管理ユーザは、必要に応じて、ブログにアクセスし、これを編集又は削除することができる。管理ユーザは、検索ボックスにキーワードを直接入力することによって、又はユーザ名、サービス又は国を検索することによって、ブログを検索することができる。ブログと共に、各ユーザによってブログに投稿される専門的コメントも追跡され、これらも、必要に応じて編集又は削除することができる。コメントは、ブログタイトル、コメント、ブログ著者及びコメントに関連するキーワードを入力することによって検索することができる。図１８Ｇは、ブログコンテンツを表示するための例示的なブログコントロールパネル１８３２を示している。管理ユーザは、ポータルからコンテンツを編集及び削除することができる。管理ユーザは、ユーザ名によってブログを検索することができ、必要に応じて、ブログコンテンツを削除又は編集することができる。管理ユーザは、例えば、タイトル、イメージ又はＹｏｕＴｕｂｅ(登録商標)動画及び説明を編集することができる、図１８Ｈは、ブログコメントを表示する例示的なブログコメントパネル１８３４を示している。管理ユーザは、全てのブログに投稿されたコメントを編集又は削除することができる。図１８Ｉは、ブログコメントを編集するための例示的なブログコメント編集パネル１８３６を示している。ブログコメント編集パネルは、（１）コメント者、（２）ブログタイトル及び（３）はコメント等の様々な属性を含む。管理ユーザは、所定のブログについて、コメントのみを更新することもできる。
【０１０３】
ニュース：ニュースは、ポータル及び管理ユーザの両方によってオンラインで投稿することができ、これは、関連するサービス提供者と共有することができる。ニュース並びにこのニュースに対する専門的コメントは、著者名及びニュースタイトル等の証明情報（credential）によって追跡することができる。ニュース機能は、以下のような、ニュースを管理するための様々なオプションを含む。（１）ニュースタイトル、イメージ又はＹｏｕＴｕｂｅ(登録商標)埋め込みコード及び説明等の詳細をニュースに追加。（２）検索ボックスにキーワードを入力することによる又はユーザ名、サービス又は国を選択することによるニュース又はニュースに対するコメントの検索。（３）各ニュース及びコメントに関連する編集又は削除オプション。図１８Ｊは、例示的なニュースコンテンツパネル１８３８を示している。ニュースコンテンツ１８３８は、（１）ニュース追加、（２）ニュースコンテンツ編集（タイトル、写真又はＹｏｕＴｕｂｅ(登録商標)リンク、説明）及び（３）コメント編集を含む関連するオプションのリストを有する。図１８Ｋは、例示的なニュース追加フォーム１８４０を示している。新しく追加されたニュースは、そのサービスが共有に含まれるユーザのみに表示してもよい。図１８Ｌは、例示的なニュースコンテンツ編集パネル１８４２を示しているニュースコンテンツ編集パネル１８４２により、管理ユーザは、（１）ニュースタイトル、（２）イメージ又はＹｏｕＴｕｂｅ(登録商標)リンク及び（３）説明を含む特定のニュースに関係する全てのコンテンツを更新することができる。図１８Ｍは、例示的なニュースコメントパネル１８４４を示している。管理ユーザは、何れかのニュースに投稿されたコメントを更新又は削除することができる。図１８Ｎは、例示的なニュースコメント編集フォーム１８４６を示している。管理ユーザは、ニュースについてのコメントのみを編集することができる。
【０１０４】
ショーリール及び写真：各ユーザによってオンラインで投稿される写真及びショーリール（動画）は、管理パネルによって管理される。オンラインでアップロードされる写真及びショーリールは、アップロードユーザ名及びアップロード日時等の属性に関連付けられる。アップロード名及び日時によって、管理者は、編集又は削除オプションによってコンテンツを追跡することができる。管理パネルは、以下のような、コンテンツを維持するためのオプションを提供する。（１）管理者は、オンラインで投稿される不正な又は誤った写真及びショーリールをチェックできる。（２）必要に応じて、写真及びショーリールを削除する。（３）検索ボックスにキーワードを入力することによる又はユーザ名、サービス又は国を選択することによる写真及びショーリール又は写真及びショーリールに対するコメントの検索（４）コメントに関して、管理者は、不適切と判断した場合、写真及びショーリールに対するコメントを編集又は削除することができる。図１８Ｏは、例示的な写真ギャラリ１８５０を示している。写真セクションは、以下を含む異なるセクションを有する。（１）写真ギャラリ（ユーザ名、写真、操作、アップロード日時）、（２）写真コメント。（３）写真ギャラリは、アップロードされた写真と共に以下の関連する詳細を含む。（４）アップロードしたユーザ名、（５）写真、（６）操作（削除オプション）、及び（７）アップロード日時。図１８Ｐは、写真を表示するための例示的なポップアップウインドウ１８５２を示している。図１８Ｑは、例示的な写真コメントページ１８５４を示している。写真コメントページ１８５４は、編集及び削除オプションを含むことができる。図１８Ｒは、例示的なショーリールギャラリ１８５６を示している。ショーリールギャラリ１８５６は、ポータルユーザによってアップロードされたショーリール（動画）を、（１）ユーザ名（アップロードユーザ）、（２）ショーリール（ポップアップウインドウ内の特定のショーリールをクリックすることによって表示される）、（３）アップロード日時及び（４）操作（削除オプション）等の詳細と共に示す。図１８Ｓは、ショーリールを表示するための例示的なポップアップウインドウ１８５８を示している。図１８Ｔは、例示的なショーリールコメントページ１８６０を示している。ショーコメントページ１８６０は、（１）アップロードユーザ、（２）コメントユーザ、（３）コメント及び（４）操作（編集又は削除オプション）を含む関連する項目と共にコメントを示す。図１８Ｕは、例示的なショーリールコメント編集フォーム１８６２を示している。管理ユーザは、ショーリールコメント編集フォームを用いて、特定のショーリールについてのコメントを編集することができる。
【０１０５】
サービス：ユーザによって提供されるサービスは、管理パネルから追加され、これは、登録ページに反映される。新しく作成されたサービスは、新しいポータルのユーザが登録の間にこれらのサービスとして選択することによって、サービスのグループに追加され、これにより、各ユーザは、このサービスＩＤに関連付けられる。これらのサービスは、以下のような様々な目的のために使用される。（１）このサービスＩＤは、好ましいサービスによってユーザを検索する際に非常に有用である。（２）サービスは、写真、ショーリール、ブログ及びニュースを共有するために使用される。（３）ユーザを推奨する際に使用される主要技能をそれぞれのサービスに提供する。管理ユーザは、これらのサービスをアクティブ化及び非アクティブ化でき、使用されないものを削除することもできる。図１８Ｖは、例示的なサービスページ１８６４を示している。サービスページ１８６４は、（１）新サービス追加、（２）サービスアクティブ化又は非アクティブ化、（３）サービス編集及び（４）サービス削除等の属性を含む。図１８Ｗは、例示的な編集及びサービス削除フォーム１８６６を示している。管理ユーザは、サービスを追加又は削除することができ、サービスが削除されると、この特定のサービスは、サービスをリストするサイト、すなわち、登録、ニュース共有、ニュース追加等の全てから取り除かれる。
【０１０６】
電子メールテンプレート：管理パネルは、以下のような様々なシナリオのために、ポータルユーザの登録された電子メールＩＤにメールとして送信されるドラフトフォーマットとしての電子メールテンプレートを有する。（１）電子メール確認（verification）のための送信。（２）通知のための送信。（３）友達申請のための送信。（４）ポータルエラーのための送信。（５）「パスワードを忘れた」のための送信。（６）ユーザ非アクティブ化のための送信。（７）ユーザの非友達のための送信。（８）承認されるサービスのための送信。（９）クライアントログインの詳細のための送信。図１８Ｘは、例示的な電子メールテンプレート１８６９を示している。図１８Ｙは、例示的な電子メール追加テンプレート１８７０を示している。電子メール追加テンプレート１８７０を用いて、（１）電子メールタイプ（すなわち、ログイン確認、通知、友達申請等のための送信）、（２）ＣＣ  ＩＤ、（３）ＢＣＣ  ＩＤ、（４）件名及び（５）本文を含む電子メールフィールドを追加することができる。
【０１０７】
広告：管理者は、広告セクションを提供することができ、ここから、クライアントは、自らのプロフィールを作成し、ポータル上にこれらの広告を投稿することができる。広告は、通常、異なるサイズのロテーションバナー（rotational banners）として投稿される。クライアントは、性別及び年齢に応じて、これらの広告をカテゴリ化することができる。広告費用は、（１）バナーサイズ、（２）広告が投稿されるページの数、及び（３）特定の広告のための広告期間に依存する。各バナーは、クライアントのページにリンクされたハイパーリンクに関連付けられる。広告管理セクションによって提供されるオプションは、以下を含む。（１）広告（クライアント登録、広告アカウント（場所、性別及び年齢層毎に広告を表示）を含む）。（２）クライアント（クライアントを管理し、キャンペーンを追加、アクティブ化又は非アクティブ化する）。（３）広告マネージャ（このセクションから、管理者は、異なるページ上で実行されているキャンペーンの詳細を見ることができる）。
【０１０８】
検索履歴：管理パネルは、全てのセクションのための検索ボックスを有しており、これにより、ユーザは、プロダクト及び／又はサービスについてのキーワードを入力することによって、所望のプロダクト及び／又はサービスを検索することができる。ユーザは、また、国名、サービス又はユーザ名を用いて検索を行うこともできる。ユーザによって行われるオンライン検索は、管理パネルによって、ユーザ名、検索キーワード及び検索日時に関連付けて、検索履歴として維持される。図１８Ｚは、例示的な検索履歴ページ１８７２を示している。検索履歴ページ１８７２は、ポータルユーザによって行われた検索に関するデータを保存している。保存される検索履歴は、（１）ユーザ名、（２）キーワード及び（３）検索日時（検索日及び時間）等の詳細を含むことができる。
【０１０９】
背景画像：管理パネルは、ポータルログインページ背景画像をアップロードすることができる。図１８ＡＡは、アップロードされた背景画像を保存するための例示的な背景画像ページ１８７４を示している。管理ユーザは、背景画像ページ１８７４から背景画像を追加又は削除することができる。図１８ＡＢは、背景画像の追加及び削除を行うための例示的な背景画像編集フォーム１８７６を示している。
【０１１０】
主要技能：主要技能は、ダッシュボードページの質問フォームにおいてポータルユーザを推奨するために使用される特定のサービスに割り当てられる技能である。管理ユーザは、特定のサービスに割り当てられる主要技能を追加又は削除することができる。図１８ＡＣは、例示的な主要技能ページ１８７８を示している。図１８ＡＤは、例示的な主要技能編集フォーム１８８０を示している。管理ユーザは、主要技能編集フォームを用いて、主要技能ページ１８７８から主要技能を追加又は削除することができる。新しく追加された主要技能は、固有のサービス名を有する必要がある。
【０１１１】
他の管理機能：更なる管理パネル機能は、以下を含むことができる。（１）ポータル上でセクション及びモジュールを追加及び更新するためのオプション。（２）追加、編集及び削除オプションによる管理ユーザの維持。（３）ダッシュボードにおいて、管理者には、最新の更新、すなわち、新しく追加されたユーザ、ブログ、ショーリール（動画）及び写真についてのアラートも提供される。図１８ＡＥは、例示的なセクションページ１８８２を示している。管理ユーザは、セクションページから、異なるモジュールを有する新しいセクションを追加することができる。先に追加されたセクション、例えば、ニュース、ブログ及びプロフィール等も示されている。図１８ＡＦは、例示的なセクションモジュールページ１８８４を示している。各セクションは、様々なモジュールに分けられる。例えば、プロフィールは、ポータル内のプロフィール画像、個人情報、主要技能等を含む。管理ユーザには、モジュールを追加、削除又は編集するためのオプションが与えられる。
【０１１２】
図１８ＡＧは、管理パネルの機能の例示的な集合を示す例示的な管理機能図１８８６を示している。例示的な管理パネル機能の集合は、（１）検索、（２）電子メールテンプレート、（３）広告、（４）ニュース及びブログ、（５）ポータルユーザ情報及び（６）専門的コメント編集及び削除を含むことができる。
【０１１３】
更なる機能
フッタオプション（Footer Option）：フッタのコンテンツは、少なくとも（１）条件（Terms and Conditions）、（２）プライバシ、（３）私たちについて（About Us）、（４）ヘルプ及び（５）互換性のあるブラウザ等の情報を含むことができる。図１９Ａは、例示的な条件（Terms and Conditions）ページ（１９００）を示している。条件ページ１９００は、ウェブサイトの使用及び不正使用、アカウント及びパスワード、並びにユーザコンテンツに関するポータルについての条件（terms and conditions）を示す。図１９Ｂは、例示的なヘルプページ１９０２を示しているポータルに関連する何らかの問題又は問合わせは、ヘルプページ１９０２で解決することができる。ユーザは、ポータルへのログインに成功すると、ヘルプページ１９０２にアクセスすることができる。図１９Ｃは、例示的な互換ブラウザページ１９０４を示している。互換ブラウザページ１９０４は、ポータルに互換性があるウェブブラウザのリストを提供する。互換性があるウェブブラウザの例は、例えば、（１）Ｉｎｔｅｒｎｅｔ  Ｅｘｐｌｏｒｅｒ  ｖ９．０以上、（２）Ｍｏｚｉｌｌａ  Ｆｉｒｅｆｏｘ  ｖ３．５以上、（３）Ｇｏｏｇｌｅ  Ｃｈｒｏｍｅ  ｖ１５．０以上、（４）Ｏｐｅｒａ１０．１０以上及び（５）Ｓａｆａｒｉ６以上である。
【０１１４】
ログバンク：ポータル又はシステムは、ポータルの異なる機能に関連付けられた複数のセクションを有し、異なるセクションにおける全ての変更の経過を追跡するログバンクを含む。ログバンクセクションの例は、（１）ニュース、（２）ブログ、（３）写真、（４）ショーリール及び（５）全てを含む。ユーザがニュースを見て、そのニュースに自らのコメント、嫌い又は好きを入力すると、ニュースが更新される。ログバンクのニュースセクションは、ニュースバー、好きバー、嫌いバー及びコメントバーを含む。ブログセクションは、ユーザ自身のブログの更新を示す。ブログセクションは、ユーザ自身によってアップロードされたブログの数を示すブログバー、ユーザの自身のブログの「好き」クリックを示す好きバー、ユーザの自身のブログの「嫌い」クリックの数を示す嫌いバー、ユーザの自身のブログについてのコメントの数を示すコメントバー、ユーザの自身のブログを追跡しているユーザの数を示す追跡バーを含む。写真セクションは、共有された写真についてのコメント、好き及び嫌いに加えて、共有された写真の総数を示す。写真セクションは、写真バー、好きバー、嫌いバー及びコメントバーを含む。ショーリールセクションは、共有されたショーリールについてのコメント、好き及び嫌いに加えて、共有されたショーリールの総数を示す。ショーリールセクションは、ショーリールバー、好きバー、嫌いバー及びコメントバーを含む。「全て」セクション（All section）は、ユーザ自身が最も訪問したページを示す。「全て」セクションは、検索セクション、ブログセクション、ニュースセクション、プロフィールセクション、ダッシュボードセクション及び他のセクションを含む。
【０１１５】
図２０Ａは、例示的なログバンク−ニュースセクション２０００を示している。ログバンク−ニュースセクションは、特定のニュースにコメント、好き又は嫌いが付されたときに更新される。ニュースセクションは、私のニュース及びフォローされたニュースの２つのタブを含む。
【０１１６】
図２０Ｂは、ニュースタイトル、ニュース日時及びニュース著者を示す例示的なニュース数ページ２００２を示している。
【０１１７】
図２０Ｃは、例示的なニュースアドバイス又はコメント数ページ２００４を示している。ニュースアドバイス又はコメント数ページ２００４は、各ユーザによる各ニュースに関するコメント数と共に、ニュースタイトルを示している。
【０１１８】
図２０Ｄは、例示的な嫌いバー２００６を示している。嫌いバーをクリックすることにより、ニュースタイトルを有する各ニュースについての「嫌い」の数が増加する。
【０１１９】
図２０Ｅは、例示的なニュース好きバー２００８を示している。好きバーをクリックすることにより、ニュースタイトルを有する各ニュースについての「好き」の数が増加する。
【０１２０】
図２０Ｆは、例示的なブログセクション２０１０を示している。２つのセクションは、マイブログ及びフォロー中ブログを含む。マイブログは、ユーザによって書き込まれ、２つのセクションに関連するデータを含み、（１）名称及びアップロード日時を含むブログの総数、（２）ブログの追跡総数、（３）ブログに対する「好き」総数、（４）ブログに対する「嫌い」総数及び（５）はブログに対するコメント総数を含むことができる。
【０１２１】
図２０Ｇは、例示的な写真セクション２０１２を示している。ログバンクの写真セクションは、共有されている写真数を示す。写真セクションは、共有に加えて、写真に対するコメント、好き（イイネ）、嫌いの数を表示する。これは、（１）共有写真の数、（２）共有写真に対する好きの数、（３）共有写真に対する嫌いの数、及び、（４）共有写真に対するコメント数、等の異なる数を含むことができる。
【０１２２】
図２０Ｈは、写真セクションの例示的な共有写真バー２０１４を示している。写真バー２０１４は、共有の日時を含むギャラリビューとして共有写真をユーザに表示する。
【０１２３】
図２０Ｉは、写真セクションの例示的な好きバー２０１６を示している。好きバー２０１６は、マイ写真セクションに対して他のユーザが「好き」とした写真の「好き」数を表示する。
【０１２４】
図２０Ｊは、ログバンクの例示的なショーリールセクション２０１８を示している。ショーリールセクション２０１８は、共有されているショーリール数を表示する。ショーリールセクション２０１８は、ショーリールを共有することに加えて、ショーリールに対するコメント、好き（イイネ）、嫌いの数を表示する。これは、（１）共有ショーリールの総数、（２）共有ショーリールに対する好きの総数、（３）共有ショーリールに対する嫌いの総数、及び、（４）共有ショーリールに対するコメント総数、等の異なる数を含むことができる。
【０１２５】
図２０Ｋは、ログバンクの例示的な「全て」セクション２０２０を示している。「全て」セクション２０２０は、頻繁に訪問されるセクションに関連する統計データのデータ表現（例えば、円グラフ）をユーザに提供する。頻繁に訪問されるセクションは、パーセンテージによってランク付けされる。円グラフは、検索、ブログ、ニュース、プロフィール、メッセージ、ダッシュボード及びその他（通知、プロフィール、ログバンク、プライバシ設定、パスワード変更、アカウント非アクティブ化、公開プロフィールページ）を含む７つの部分に分けられている。
【０１２６】
本明細書に開示する様々な特徴及びソリューションの側面及び具体例について、コンピュータにより実行可能な命令、例えば、汎用コンピュータ、パーソナルコンピュータ、サーバ及び／又は他のコンピュータシステムで実行されるルーチンの包括的なコンテキストによって説明した。図２１は、オンライン管理ポータル１０１のコンピュータシステムをコントローラ２１００として表す例示的なマシンのブロック図である。コントローラ２１００は、１つ以上のユーザ入力デバイス２１０５、周辺デバイス２１１０、オプションのコプロセッサデバイス（例えば、暗号プロセッサデバイス）２１１５及びネットワーク２１３０を含むエンティティと通信することができる。
【０１２７】
コンピュータは、中央演算処理装置（central processing unit：ＣＰＵ）又はプロセッサ（以下「プロセッサ」とする）を使用して情報を処理する。プロセッサは、プログラム可能な汎用又は専用マイクロプロセッサ、プログラム可能なコントローラ、特定用途向け集積回路（application-specific integrated circuit：ＡＳＩＣ）、プログラム可能な論理デバイス（programmable logic device：ＰＬＤ）、埋め込み部品及びこれらのデバイスの組合せ等を含むことができる。プロセッサは、ユーザ及び／又はシステムが生成する要求に応じてプログラムコンポーネントを実行する。これらのコンポーネントの１つ以上は、ソフトウェア、ハードウェア又はソフトウェアとハードウェアの両方でインプリメントしてもよい。プロセッサは、命令（例えば、動作及びデータ命令）を実行し、様々な動作を実現する。
【０１２８】
コントローラ２１００は、クロック２１６５、ＣＰＵ２１７０、メモリ、例えば、読出専用メモリ（read only memory：ＲＯＭ）２１８５及びランダムアクセスメモリ（random access memory：ＲＡＭ）２１８０、並びにコプロセッサ２１７５を含んでいてもよい。これらのコントローラコンポーネントは、システムバス２１６０に接続され、更に、システムバス２１６０を介してインターフェースバス２１３５に接続されている。更に、ユーザ入力デバイス２１０５、周辺デバイス２１１０、コプロセッサデバイス２１１５等は、インターフェースバス２１３５を介してシステムバス２１６０に接続してもよい。インターフェースバス２１３５は、例えば、プロセッサインターフェース２１４０、入力出力インターフェース（Ｉ／Ｏ）２１４５、ネットワークインターフェース２１５０、ストレージインターフェース２１５５等の幾つかインターフェースアダプタに接続してもよい。
【０１２９】
プロセッサインターフェース２１４０は、コプロセッサデバイス２１１５とコプロセッサ２１７５の間の通信を実現する。一具体例においては、プロセッサインターフェース２１４０は、要求又はデータの暗号化及び解読を行う。入力出力インターフェース（Ｉ／Ｏ）２１４５は、例えば、オーディオ、データ、ビデオインターフェース、ワイヤレストランシーバ等に対応するプロトコル（例えば、ブルートゥース(登録商標)、ＩＥＥＥ１３９４ａ−ｂ、シリアルバス、ユニバーサルシリアルバス（universal serial bus：ＵＳＢ）、デジタルビジュアルインターフェース（Digital Visual Interface：ＤＶＩ）、８０２．１１ａ／ｂ／ｇ／ｎ／ｘ、セルラ等）を使用して、ユーザ入力デバイス２１０５、周辺デバイス２１１０、コプロセッサデバイス２１１５及び／又はこれらに類するデバイスと、コントローラ２１００のコンポーネントとの間の通信を実現する。
【０１３０】
ネットワークインターフェース２１５０は、ネットワーク２１３０と通信してもよい。コントローラ２１００は、ネットワーク２１３０を介してリモートクライアントデバイス２１２０にアクセスしてもよい。ネットワーク２１３０の例は、インターネットローカルエリアネットワーク（Local Area Network：ＬＡＮ）、メトロポリタンエリアネットワーク（Metropolitan Area Network：ＭＡＮ）、ワイドエリアネットワーク（Wide Area Network：ＷＡＮ）、無線ネットワーク（例えば、無線アプリケーションプロトコル（Wireless Application Protocol：ＷＡＰ）を使用）、セルラネットワーク、高信頼カスタム接続等を含む。クライアントデバイス２１２０は、モバイル、ハンドヘルド又は携帯型デバイス又は非携帯型デバイスの何れであってもよく、以下に限定されるわけではないが、サーバデスクトップ、デスクトップコンピュータ、コンピュータクラスタであってもよく、又は携帯型デバイス、例えば、ノートブック、ラップトップコンピュータ、ハンドヘルドコンピュータ、パームトップコンピュータ、モバイル電話、セルラ電話、ＰＤＡ、スマートフォン（例えば、ブラックベリーデバイス、例えば、ＢｌａｃｋＢｅｒｒｙＺ１０／Ｑ１０、ｉＰｈｏｎｅ(登録商標)、Ｎｅｘｕｓ４）、Ｔｒｅｏ、ハンドヘルド型タブレット（例えば、ｉＰａｄ(登録商標)、ｉＰａｄ(登録商標)ミニ、Ｇａｌａｘｙ  Ｎｏｔｅ、Ｇａｌａｘｙ  Ｎｏｔｅ  ＩＩ、Ｘｏｏｍタブレット、マイクロソフトＳｕｒｆａｃｅ、Ｂｌａｃｋｂｅｒｒｙ  ＰｌａｙＢｏｏｋ、Ｎｅｘｕｓ７、１０等）、ファブレット（例えば、ＨＴＣ  Ｄｒｏｉｄ  ＤＮＡ等）、タブレットＰＣ、シンクライアント（thin-client）、ハンドヘルドコンソール、携帯ゲーム機又はコンソール（例えば、ＸＢＯＸライブ、任天堂ＤＳ、ソニープレイステーションポータブル等）、モバイル対応パワード腕時計（例えば、ｉＯＳ、ＡｎｄｒｏＩＤ又は他のプラットホームベース）、Ｇｏｏｇｌｅ  Ｇｌａｓｓ、Ｃｈｒｏｍｅｂｏｏｋ及び／又は他の携帯型、モバイル、ハンドヘルドデバイス等であってもよく、これらは、例えば、マックベースのＯＳ（ＯＳＸ、ｉＯＳ等）、ＷｉｎｄｏｗｓベースのＯＳ（Ｗｉｎｄｏｗｓ  Ｍｏｂｉｌｅ、Ｗｉｎｄｏｗｓ７、Ｗｉｎｄｏｗｓ８等）、アンドロイド、Ｂｌａｃｋｂｅｒｒｙ  ＯＳ、埋め込みＬｉｎｕｘ(登録商標)プラットホーム、ＰａｌｍＯＳ、Ｓｙｍｂｉａｎプラットホーム、Ｇｏｏｇｌｅ  ＣｈｒｏｍｅＯＳ等、如何なるプラットホーム又は如何なるオペレーティングシステム上で動作してもよい。
【０１３１】
ネットワークインターフェース２１５０は、例えば、直接接続、イーサネット(登録商標)、無線接続、例えばＩＥＥＥ８０２．１１ａｘ等の様々な有線及び無線接続プロトコルを使用することができる。ネットワークインターフェース２１５０は、ファイアウォールを含むことができ、これにより、幾つかの実施形態において、コンピュータネットワーク内のデータへのアクセス／プロキシの許可を決定及び／又は管理することができ、及び異なるマシン及び／又はアプリケーションの間で変化する信用のレベルを追跡することができる。ファイアウォールは、幾つのモジュールから構成してもよく、ハードウェア及び／又はソフトウェアコンポーネントの如何なる組合せを有していてもよく、マシンとアプリケーション、マシンとマシン及び／又はアプリケーションとアプリケーションの特定の組間に予め定められたアクセス権の組を強制し、例えば、トラフィックのフロー及びこれらの様々なエンティティの間で共有されるリソースを規制する。ファイアウォールは、更に、アクセスを管理してもよく、及び／又はアクセス制御リストにアクセスしてもよく、アクセス制御リストは、例えば、個人、マシン及び／又はアプリケーションによる対象物へのアクセス及び操作権及び許可の権利が成立する状況等の許可の詳細を示す。ファイアウォールによって実行され又はファイアウォールの機能に含まれる、他のネットワークセキュリティ機能は、例えば、以下に限定されるわけではないが、本開示の新技術の範囲から逸脱することなく、侵入防止、侵入検出、次世代ファイアウォール、個人ファイアウォール等が含まれる。
【０１３２】
ストレージインターフェース２１５５は、例えば、ストレージデバイス２１９０、リムーバブルディスクデバイス等の複数のストレージデバイスと通信してもよい。ストレージインターフェース２１５５は、例えば、シリアルアドバンストテクノロジーアタッチメント（Serial Advanced Technology Attachment：ＳＡＴＡ）、ＩＥＥＥ１３９４、イーサネット(登録商標)、ユニバーサルシリアルバス（Universal Serial Bus：ＵＳＢ）等の様々な接続プロトコルを使用してもよい。
【０１３３】
ユーザ入力デバイス２１０５及び周辺デバイス２１１０は、Ｉ／Ｏインターフェース２１４５に接続してもよく、更に他のインターフェース、バス及び／又はコンポーネントに接続してもよい。ユーザ入力デバイス２１０５は、カードリーダ、指紋リーダ、ジョイスティック、キーボード、マイク、マウス、リモートコントローラ、網膜リーダ、タッチスクリーン、センサ等を含んでいてもよい。周辺デバイス２１１０は、アンテナ、音声デバイス（例えば、マイクロフォン、スピーカ等）、カメラ、外部プロセッサ、通信デバイス、ＲＦＩＤ（radio frequency identifier）、スキャナ、プリンタ、ストレージデバイス、トランシーバ等を含んでいてもよい。コプロセッサデバイス２１１５は、インターフェースバス２１３５を介してコントローラ２１００に接続してもよく、マイクロコントローラ、プロセッサ、インターフェース又は他のデバイスを含んでいてもよい。
【０１３４】
コンピュータが実行可能な命令及びデータは、プロセッサがアクセス可能なメモリ（例えば、レジスタ、キャッシュメモリ、ランダムアクセスメモリ、フラッシュ等）に保存してもよい。これらの保存された命令コード（例えば、プログラム）は、プロセッサコンポーネント、マザーボード及び／又は他のシステムコンポーネントと連携して、所望の動作を実行することができる。コントローラ２１００は、オンチップＣＰＵメモリ（例えば、レジスタ）、ＲＡＭ２１８０、ＲＯＭ２１８５及びストレージデバイス２１９０を含む様々な形式のメモリを使用してもよい。ストレージデバイス２１９０は、如何なる数のタンジブルな、非一時的なストレージデバイス又はシステムであってもよく、例えば、固定又は取り外し可能な磁気ディスクドライブ、光ドライブ、固体メモリデバイス及び他のプロセッサ可読メモリ媒体であってもよい。これらは、例えば、アマゾンウェブサービス（Amazon Web Service：ＡＷＳ）及びＨａｄｏｏｐフレームワーク等の技術を用いるクラウドコンピューティングアーキテクチャにおける相関クラスタ（interrelated cluster）を含んでいてもよい。コンピュータが実行可能な命令は、メモリに保存され、例えば、特定のタスクを実行し又は特定の抽象データタイプをインプリメントするルーチン、プログラム、オブジェクト、データ構造等の１つ以上のコンポーネントを有するオンライン管理ポータル１０１を含んでいてもよい。例えば、メモリは、オペレーティングシステム（operating system：ＯＳ）コンポーネント、プログラムモジュール、データベースコンポーネント等を含んでいてもよい。これらのコンポーネントは、ストレージデバイスに保存し、アクセスしてもよく、例えば、インターフェースバスを介してアクセス可能な外部ストレージデバイスに保存し、アクセスしてもよい。
【０１３５】
コントローラ２１００は、タスク又はモジュールが、例えば、ローカルエリアネットワーク（ＬＡＮ）、ワイドエリアネットワーク（ＷＡＮ）、インターネット等の通信ネットワークを介してリンクされた遠隔処理デバイスで実行される分散コンピューティング環境でインプリメントしてもよい。分散コンピューティング環境では、プログラムモジュール又はサブルーチンは、ローカル及びリモートのメモリストレージデバイスの両方に格納してもよい。分散コンピューティングは、処理のための負荷バランス及び／又はリソース統合のために使用してもよい。これに代えて、コントローラ２１００の側面を、インターネット又は（無線ネットワークを含む）他のネットワークに亘って電子的に分散させてもよい。オンライン管理ポータル１０１の一部がサーバコンピュータ内にあり、対応する他の部分がクライアントコンピュータ内にあってもよいことは、当業者にとって明らかである。コントローラ２１００の側面に固有のデータ構造及びデータ伝送も本発明の範囲に含まれる。
【０１３６】
上述した本開示の実施形態の詳細な説明は、排他的なものではなく、本発明を上述の正確な形式に限定する意図はない。以上では、例示を目的として、本発明の特定の具体例を説明したが、本発明の範囲内で様々な等価な変更が可能であることは、当業者にとって明らかである。例えば、プロセス又はブロックを所与の順序で説明したが、他の具体例では、ステップを有するルーチン又はブロックを有するシステムを異なる順序で実現してもよく、幾つかのプロセス又はブロックを削除、移動、追加、再分割、結合及び／又は修正し、他の組合せ又は下位の組合せを実現してもよい。これらのプロセス又はブロックのそれぞれは、様々な異なる手法で実現してもよい。また、プロセス又はブロックは、順次的に実行されているように説明しているが、これに代えて、これらのプロセス又はブロックは、並列的に実行又は実現してもよく、異なる時間に実行してもよい。
【０１３７】
例示を目的として本開示の特定の実施形態を説明したが、以上より、本開示の範囲から逸脱することなく、様々な変更を加えることができることは、明らかである。したがって、本開示は、限定的なものではない。
【図１】
2017519312.tif 000003
【図２Ａ】
2017519312.tif 000004
【図２Ｂ】
2017519312.tif 000005
【図２Ｃ】
2017519312.tif 000006
【図２Ｄ】
2017519312.tif 000007
【図３Ａ】
2017519312.tif 000008
【図３Ｂ】
2017519312.tif 000009
【図３Ｃ】
2017519312.tif 000010
【図４Ａ】
2017519312.tif 000011
【図４Ｂ】
2017519312.tif 000012
【図４Ｃ】
2017519312.tif 000013
【図４Ｄ】
2017519312.tif 000014
【図４Ｅ】
2017519312.tif 000015
【図４Ｆ】
2017519312.tif 000016
【図４Ｇ】
2017519312.tif 000017
【図４Ｈ】
2017519312.tif 000018
【図４Ｉ】
2017519312.tif 000019
【図４Ｊ】
2017519312.tif 000020
【図４Ｋ】
2017519312.tif 000021
【図４Ｌ】
2017519312.tif 000022
【図４Ｍ】
2017519312.tif 000023
【図４Ｎ】
2017519312.tif 000024
【図４Ｏ】
2017519312.tif 000025
【図４Ｐ】
2017519312.tif 000026
【図４Ｑ】
2017519312.tif 000027
【図４Ｒ】
2017519312.tif 000028
【図５】
2017519312.tif 000029
【図６】
2017519312.tif 000030
【図７Ａ】
2017519312.tif 000031
【図７Ｂ】
2017519312.tif 000032
【図７Ｃ】
2017519312.tif 000033
【図８Ａ】
2017519312.tif 000034
【図８Ｂ】
2017519312.tif 000035
【図８Ｃ】
2017519312.tif 000036
【図９Ａ】
2017519312.tif 000037
【図９Ｂ】
2017519312.tif 000038
【図９Ｃ】
2017519312.tif 000039
【図９Ｄ】
2017519312.tif 000040
【図９Ｅ】
2017519312.tif 000041
【図９Ｆ】
2017519312.tif 000042
【図９Ｇ】
2017519312.tif 000043
【図９Ｈ】
2017519312.tif 000044
【図９Ｉ】
2017519312.tif 000045
【図９Ｊ】
2017519312.tif 000046
【図９Ｋ】
2017519312.tif 000047
【図９Ｌ】
2017519312.tif 000048
【図１０Ａ】
2017519312.tif 000049
【図１０Ｂ】
2017519312.tif 000050
【図１０Ｃ】
2017519312.tif 000051
【図１０Ｄ】
2017519312.tif 000052
【図１０Ｅ】
2017519312.tif 000053
【図１１】
2017519312.tif 000054
【図１２】
2017519312.tif 000055
【図１３】
2017519312.tif 000056
【図１４】
2017519312.tif 000057
【図１５】
2017519312.tif 000058
【図１６】
2017519312.tif 000059
【図１７】
2017519312.tif 000060
【図１８Ａ】
2017519312.tif 000061
【図１８Ｂ】
2017519312.tif 000062
【図１８Ｃ】
2017519312.tif 000063
【図１８Ｄ】
2017519312.tif 000064
【図１８Ｅ】
2017519312.tif 000065
【図１８Ｆ】
2017519312.tif 000066
【図１８Ｇ】
2017519312.tif 000067
【図１８Ｈ】
2017519312.tif 000068
【図１８Ｉ】
2017519312.tif 000069
【図１８Ｊ】
2017519312.tif 000070
【図１８Ｋ】
2017519312.tif 000071
【図１８Ｌ】
2017519312.tif 000072
【図１８Ｍ】
2017519312.tif 000073
【図１８Ｎ】
2017519312.tif 000074
【図１８Ｏ】
2017519312.tif 000075
【図１８Ｐ】
2017519312.tif 000076
【図１８Ｑ】
2017519312.tif 000077
【図１８Ｒ】
2017519312.tif 000078
【図１８Ｓ】
2017519312.tif 000079
【図１８Ｔ】
2017519312.tif 000080
【図１８Ｕ】
2017519312.tif 000081
【図１８Ｖ】
2017519312.tif 000082
【図１８Ｗ】
2017519312.tif 000083
【図１８Ｘ】
2017519312.tif 000084
【図１８Ｙ】
2017519312.tif 000085
【図１８Ｚ】
2017519312.tif 000086
【図１８ＡＡ】
2017519312.tif 000087
【図１８ＡＢ】
2017519312.tif 000088
【図１８ＡＣ】
2017519312.tif 000089
【図１８ＡＤ】
2017519312.tif 000090
【図１８ＡＥ】
2017519312.tif 000091
【図１８ＡＦ】
2017519312.tif 000092
【図１８ＡＧ】
2017519312.tif 000093
【図１９Ａ】
2017519312.tif 000094
【図１９Ｂ】
2017519312.tif 000095
【図１９Ｃ】
2017519312.tif 000096
【図２０Ａ】
2017519312.tif 000097
【図２０Ｂ】
2017519312.tif 000098
【図２０Ｃ】
2017519312.tif 000099
【図２０Ｄ】
2017519312.tif 000100
【図２０Ｅ】
2017519312.tif 000101
【図２０Ｆ】
2017519312.tif 000102
【図２０Ｇ】
2017519312.tif 000103
【図２０Ｈ】
2017519312.tif 000104
【図２０Ｉ】
2017519312.tif 000105
【図２０Ｊ】
2017519312.tif 000106
【図２０Ｋ】
2017519312.tif 000107
【図２１】
2017519312.tif 000108
【国際調査報告】
2017519312.tif 000109
2017519312.tif 000110